(57)【要約】パルス変調高周波電力制御方法は、パルス出力の振幅を制御する出力振幅制御工程と、パルス出力のデューティー比を制御するデューティー制御工程とを備える。出力振幅制御工程は、パルス出力の振幅値を制御して、振幅値が設定振幅値となるように定振幅制御を行う。出力振幅制御による定振幅制御は、例えば、電力制御によって出力されるパルス出力の振幅値をフィードバックし、このフィードバック値と予め設定しておいた設定振幅値との差分値を求め、この差分値が零となるように、パルス出力の振幅値を制御する。
2011016266.tif 000002
【特許請求の範囲】
【請求項１】
負荷に供給する高周波電力を制御する高周波電力の制御方法において、
前記高周波電力を時間的に断続出力させてパルス出力を高周波出力として出力し、
前記パルス出力の振幅を制御する出力振幅制御工程と、
前記パルス出力のデューティー比を制御するデューティー制御工程とを備え、
前記出力振幅制御工程は、前記パルス出力の振幅値を制御して、振幅値が設定振幅値となるように定振幅制御を行い、
前記デューティー制御工程は、前記パルス出力のデューティー比を制御して、当該デューティー比で定まる電力量が設定電力値となるように定電力制御を行い、
前記出力振幅制御工程と前記デューティー制御工程とをそれぞれ独立に行って高周波電力をパルス変調することを特徴とする、パルス変調高周波電力制御方法。
【請求項２】
前記出力振幅制御工程および前記デューティー制御工程は、負荷に供給する電力、電圧、および電流の何れか一つをパルス出力の制御対象とすることを特徴とする、請求項１に記載のパルス変調高周波電力制御方法。
【請求項３】
前記デューティー制御工程は、デューティー比の制御によってオフ時間を零とし、パルス出力を連続出力とする工程を含むことを特徴とする、請求項１又は２に記載のパルス変調高周波電力制御方法。
【請求項４】
前記パルス出力の制御対象をピーク進行波電力とし、
前記出力振幅制御工程は、ピーク進行波電力の振幅値が設定振幅値となるように定振幅制御を行い、
前記デューティー制御工程は、デューティー比で定まるピーク進行波電力の平均電力値が設定電力値となるように定電力制御を行い、
ピーク進行波電力を制御することを特徴とする、請求項１から３の何れか一つに記載のパルス変調高周波電力制御方法。
【請求項５】
前記デューティー制御工程は、
パルス出力の一周期内におけるオン時間とオフ時間とで定まるデューティー比においてオン時間を１００％未満とし、前記ピーク進行波電力の平均電力値が当該ピーク進行波電力の振幅値よりも小さくなるように制御して、パルス出力を不連続出力とするパルス出力制御と、
パルス出力の一周期内におけるオン時間とオフ時間とで定まるデューティー比においてオフ時間を０％としオン時間を１００％とし、パルス出力を連続出力とする連続出力制御とを含むことを特徴とする、請求項４に記載のパルス変調高周波電力制御方法。
【請求項６】
前記出力振幅制御工程におけるパルス出力の制御対象をピーク進行波電力とし、
前記デューティー制御工程におけるパルス出力の制御対象を平均ロード電力とし、
前記出力振幅制御工程は、前記ピーク進行波電力の振幅値が一定となるように定振幅制御を行い、
前記デューティー制御工程は、デューティー比で定まるピーク進行波電力とピーク反射波電力から求められるピークロード電力の平均電力値が設定電力値となるように定電力制御を行って平均ロード電力を制御することを特徴とする、請求項１から３の何れか一つに記載のパルス変調高周波電力制御方法。
【請求項７】
前記デューティー制御工程は、
前記出力振幅制御工程の定電力制御で得られたフィードバック値に基づいて、パルス出力のデューティー比を増減することを特徴とする、請求項１から６の何れか一つに記載のパルス変調高周波電力制御方法。
【請求項８】
前記パルス出力の制御対象をピーク進行波電力とするピーク進行波電力制御において
前記デューティー制御工程は、ピーク反射波電力値をフィードバックし、当該ピーク反射波電力の増加時に前記デューティー比のオン時間比率を小さくして平均反射波電力の増加を抑制することを特徴とする、請求項４に記載のパルス変調高周波電力制御方法。
【請求項９】
前記パルス出力の制御対象をピーク進行波電力および平均ロード電力とするロード電力制御において、
前記デューティー制御工程は、
ピーク反射波電力値をフィードバックし、
当該ピーク反射波電力の増加時に、前記デューティー比のオン時間比率を大きくして平均ロード電力を一定に制御することを特徴とする、請求項６に記載のパルス変調高周波電力制御方法。
【請求項１０】
前記連続出力制御において、ピーク反射波電力の振幅値が過大であるとき、前記デューティー比のオン時間の比率を１００パーセントから小さくして、連続出力制御からパルス出力制御に切り換えることにより、平均反射波電力の増加を抑制することを特徴とする、請求項３又は５に記載のパルス変調高周波電力制御方法。
【請求項１１】
前記連続出力制御によってピーク進行波電力を増加させる期間において、
ピーク反射波電力の振幅値が過大であるとき、前記デューティー比のオン時間比率を１００パーセントから小さくして、連続出力制御からパルス出力制御に切り換え、
ピーク進行波電力が増加した後、前記デューティー比のオン時間比率を１００パーセントに戻して、パルス出力制御から連続出力制御に切り換えることにより、ピーク進行波電力を増加させる期間での平均反射波電力の増加を抑制することを特徴とする、請求項３又は５に記載のパルス変調高周波電力制御方法。
【請求項１２】
前記デューティー制御によってピーク進行波電力を増加させる期間において、
前記デューティー比のオン時間比率を漸次増加させることによって、平均反射波電力の増加を抑制することを特徴とする、請求項４に記載のパルス変調高周波電力制御方法。
【請求項１３】
前記デューティー制御において、オフ期間はパルス出力の電力値を零とし、オン期間はパルス出力の電力値を設定電力値とすることを特徴とする、請求項１から１２の何れか一つに記載のパルス変調高周波電力制御方法。
【請求項１４】
前記デューティー制御において、オフ期間はパルス出力の電力値を零と設定電力値との幅間で定める所定電力値とし、オン期間はパルス出力の電力値を設定電力値とすることを特徴とする、請求項１から１２の何れか一つに記載のパルス変調高周波電力制御方法。
【請求項１５】
前記デューティー制御において、周波数を一定とし、オン期間の時間幅とオフ期間の時間幅の時間幅の比率を制御することを特徴とする、請求項１から１２の何れか一つに記載のパルス変調高周波電力制御方法。
【請求項１６】
前記デューティー制御において、オン期間の時間幅を一定としオフ期間の時間幅を変化させる、又は、オフ期間の時間幅を一定としオン期間の時間幅を変化させることによってパルス出力の周波数を制御することを特徴とする、請求項１から１２の何れか一つに記載のパルス変調高周波電力制御方法。
【請求項１７】
負荷に高周波電力を供給する高周波電源装置において、
パルス出力の高周波出力を出力する高周波出力部と、
前記パルス出力の振幅を制御する出力振幅制御部と、
前記パルス出力のデューティー比を制御するデューティー制御部とを備え、
前記出力振幅制御部は、前記パルス出力の振幅値を制御して、振幅値が設定振幅値となるように定振幅制御を行い、
前記デューティー制御部は、前記パルス出力のデューティー比を制御して、当該デューティー比で定まる電力量が設定電力値となるように定電力制御を行い、
前記出力振幅制御部と前記デューティー制御部は、高周波出力部をそれぞれ独立に制御して高周波電力をパルス変調することを特徴とする、パルス変調高周波電源装置。
【請求項１８】
前記出力振幅制御部および前記デューティー制御部は、負荷に供給する電力、電圧、および電流の何れか一つをパルス出力の制御対象とすることを特徴とする、請求項１７に記載のパルス変調高周波電源装置。
【請求項１９】
前記デューティー制御部は、デューティー比の制御によってオフ時間を零とし、パルス出力を連続出力とすることを特徴とする、請求項１７又は１８に記載のパルス変調高周波電源装置。
【請求項２０】
前記パルス出力の制御対象をピーク進行波電力とし、
前記出力振幅制御部は、ピーク進行波電力の振幅値が設定振幅値となるように定振幅制御を行い、
前記デューティー制御部は、デューティー比で定まるピーク進行波電力の平均電力値が設定電力値となるように定電力制御を行い、ピーク進行波電力を制御することを特徴とする、請求項１７から１９の何れか一つに記載のパルス変調高周波電源装置。
【請求項２１】
前記デューティー制御部は、
パルス出力の一周期内におけるオン時間とオフ時間とで定まるデューティー比においてオン時間を１００％未満とし、前記ピーク進行波電力の平均電力値が当該ピーク進行波電力の振幅値よりも小さくなるように制御して、パルス出力を不連続出力とするパルス出力制御と、
パルス出力の一周期内におけるオン時間とオフ時間とで定まるデューティー比においてオフ時間を０％としオン時間を１００％とし、パルス出力を連続出力とする連続出力制御の制御を切換可能であることを特徴とする、請求項２０に記載のパルス変調高周波電源装置。
【請求項２２】
前記出力振幅制御部におけるパルス出力の制御対象をピーク進行波電力とし、
前記デューティー制御部におけるパルス出力の制御対象を平均ロード電力とし、
前記出力振幅制御部は、前記ピーク進行波電力の振幅値が一定となるように定振幅制御を行い、
前記デューティー制御部は、デューティー比で定まるピーク進行波電力とピーク反射波電力から求められるピークロード電力の平均電力値が設定電力値となるように定電力制御を行って平均ロード電力を制御することを特徴とする、請求項１７から１９の何れか一つに記載のパルス変調高周波電源装置。
【請求項２３】
前記デューティー制御部は、
パルス出力のフィードバック値に基づいて、前記定電力制御で得られたデューティー比を増減することを特徴とする、請求項１７から２２の何れか一つに記載のパルス変調高周波電源装置。
【請求項２４】
前記パルス出力の制御対象をピーク進行波電力とするピーク進行波電力制御において
前記デューティー制御は、反射波電力値をフィードバックし、当該反射波電力の増加時に前記デューティー比のオン時間比率を小さくして平均反射波電力の増加を抑制することを特徴とする、請求項２０に記載のパルス変調高周波電源装置。
【請求項２５】
前記パルス出力の制御対象をピーク進行波電力および平均ロード電力とするロード電力制御において、
前記デューティー制御は、
ピーク反射波電力値をフィードバックし、
当該ピーク反射波電力の増加時に、前記デューティー比のオン時間比率を大きくして平均ロード電力を一定に制御することを特徴とする、請求項２２に記載のパルス変調高周波電源装置。
【請求項２６】
前記デューティー制御は、
前記連続出力制御において、反射波電力の振幅値が過大であるとき、前記デューティー比のオン時間の比率を１００パーセントから小さくして、連続出力制御からパルス出力制御に切り換えることにより、平均反射波電力の増加を抑制することを特徴とする、請求項１９又は２１に記載のパルス変調高周波電源装置。
【請求項２７】
前記デューティー制御は、
前記連続出力制御によってピーク進行波電力を増加させる期間において、
反射波電力の振幅値が過大であるとき、前記デューティー比のオン時間比率を１００パーセントから小さくして、連続出力制御からパルス出力制御に切り換え、
ピーク進行波電力が増加した後、前記デューティー比のオン時間比率を１００パーセントに戻して、パルス出力制御から連続出力制御に切り換えることにより、ピーク進行波電力を増加させる期間での平均反射波電力の増加を抑制することを特徴とする、請求項１９又は２１に記載のパルス変調高周波電源装置。
【請求項２８】
前記デューティー制御は、
ピーク進行波電力を増加させる期間において、
前記デューティー比のオン時間比率を漸次増加させることによって、平均反射波電力の増加を抑制することを特徴とする、請求項２０に記載のパルス変調高周波電源装置。
【請求項２９】
前記デューティー制御は、
オフ期間はパルス出力の電力値を零とし、オン期間はパルス出力の電力値を設定電力値とすることを特徴とする、請求項１７から２８の何れか一つに記載のパルス変調高周波電源装置。
【請求項３０】
前記デューティー制御は、
オフ期間はパルス出力の電力値を零と設定電力値との幅間で定める所定電力値とし、オン期間はパルス出力の電力値を設定電力値とすることを特徴とする、請求項１７から２８の何れか一つに記載のパルス変調高周波電源装置。
【請求項３１】
前記デューティー制御は、
周波数を一定とし、オン期間の時間幅とオフ期間の時間幅の時間幅の比率を制御することを特徴とする、請求項１７から２８の何れか一つに記載のパルス変調高周波電源装置。
【請求項３２】
前記デューティー制御は、
オン期間の時間幅を一定としオフ期間の時間幅を変化させる、又は、オフ期間の時間幅を一定としオン期間の時間幅を変化させることによってパルス出力の周波数を制御することを特徴とする、請求項１７から２８の何れか一つに記載のパルス変調高周波電源装置。
【発明の詳細な説明】
【技術分野】
【０００１】
負荷に供給する高周波電力を制御する方法として、高周波電源装置が出力する進行波電力を一定に制御する方法（ＰＦ制御）、進行波電力から反射波電力を減じた負荷電力を一定に制御する方法（ＰＬ制御）が知られている（特許文献１、２）。【０００２】
また、出力電力の電力振幅を制御する方法として、連続電力の電力振幅を制御する連続電力制御方法と、パルス幅あるいはパルスのデューティー比を変更するパルス電力制御方法が知られている（特許文献３）。【０００３】
パルス電力制御や連続電力制御において、反射波電力が増加した場合には高周波電源を保護するために出力電力を低下することが知られている。また、負荷電力のピーク値を制御するピークロード電力制御では、ピーク反射波電力が変動した場合に、ピーク進行波電力を可変とする制御を行っている。
【先行技術文献】
【特許文献】
【０００４】
【特許文献１】特開２００７−８７９０８号公報（段落０００２〜０００９、００２６，００２７参照）
【特許文献２】特開２００９−１１１９４０号公報（段落０００２、００１１参照）
【特許文献３】特許第４０６５８２０号公報（段落００１４，００１５参照）
【発明の開示】
【発明が解決しようとする課題】
【０００５】
従来の電力制御では、反射波電力の変動に応じてピーク進行波電力を変化させると、ピーク進行波電力が増減する。このピーク進行波電力の変動は、出力電力の不安定、および負荷側のチャンバーで行われるプロセスに及ぼす影響等の問題がある。【０００６】
例えば、高周波電源と負荷との間に設けた整合回路は、整合動作によってピーク進行波電力の増減によるインピーダンスのずれを整合する。このとき、整合回路の整合動作によって整合ポイントは変動する。この整合ポイントの変動によって、負荷側のプラズマを処理するプラズマ処理室（チャンバー）内のインピーダンスが不安定になってさらに反射波電力が変動し、その結果、出力電力が不安定となる。また、ピーク進行波電力が変動すると、チャンバー内のプラズマ密度やプラズマ雰囲気も同時に変化し、チャンバーで行われるプロセスの均一性や歩留まりに悪影響を与える。【０００７】
負荷側のプラズマによるプロセスの動作中において、チャンバー内にインピーダンスが変化してピーク反射波電力が増加した場合に、高周波電源を保護するために進行波電力の出力を低下させると、進行波電力の低下によってプラズマの活性化が失われて、プロセスの進行が中断され、製品の品質に影響するという問題がある。【０００８】
また、負荷側のプロセスの立ち上がり時には、プラズマが着火していない状態では、反射波電力が一般的に大きくなる傾向がある。反射波電力の増加から高周波電源を保護するために進行波電力の出力を低下させると、プラズマの着火がさらに難しくなるという問題が指摘されている。【０００９】
また、特許文献１では、進行波電力を一定に制御した際に反射波電力が増加した場合には、以下のような問題があると指摘している。【００１０】
進行波電力を一定に制御する場合には、進行波電力のピーク値は一定に制御されているため、反射波電力が増加すると、負荷への供給電力量が低下するため、チャンバー内のプラズマ状態が変化し、負荷インピーダンスが変動する。その結果、整合状態から外れ、プラズマを維持できなくなってプラズマが消滅する。【００１１】
また、負荷への供給電力量が不安定となって負荷側インピーダンスが変動すると、整合目標点が不安定となり、整合器の可変インピーダンス素子の目標位置も不安定となり、可変インピーダンス素子がハンチング現象を起こす場合がある。このような整合過程でのハンチング現象は、整合器の可変インピーダンス素子の一部のみが動作することになり、可変インピーダンス素子の寿命が短くなる。【００１２】
したがって、従来行われている電力制御では、進行波電力や負荷電力等の出力電力制御において、反射波電力の変動に応じて出力電力を増減させるため、出力電力の電力振幅が不安定となり、チャンバー内のプラズマ状態が変動する等の問題がある。【００１３】
そこで、本発明は前記した従来の問題点を解決し、パルス電力制御において電力変動に対して、出力電力の電力振幅（ピーク電力）を一定に制御することによって、出力電力の電力振幅の変動による負荷に対する影響を回避することを目的とする。【００１４】
また、本発明は、出力電力の電力振幅を安定制御することによって、負荷側のプラズマ密度およびプラズマ雰囲気を安定させ、プラズマ処理によるプロセスの均一性およびプロセスによる製品の品質を向上させることを目的とする。【００１５】
また、本発明は、反射波電力の増加に対して、平均反射波電力を抑制して電源装置を保護すると共に、進行波電力の電力振幅（ピーク進行波電力）を維持することによって、整合回路の不要な整合動作を不要とし、プラズマ負荷を安定化させることを目的とする。【００１６】
また、本発明は、負荷でのプロセス起動時において、チャンバー内のプラズマの発生を容易とすることを目的とする。
【課題を解決するための手段】
【００１７】
本発明は、電力制御において、出力電力の電力振幅が設定値となるように定電力制御を行う出力振幅制御と、出力電力の電力量に相当する量が設定値となるように、パルス電力のデューティー比を制御するデューティー制御とを行うことによって、出力電力の電力振幅を安定制御すると共に、反射波電力の増加に対して電源装置を保護する。【００１８】
本発明は、パルス変調高周波電力制御方法の態様とパルス変調高周波電源装置の態様とを含み、何れの態様および各態様が備える形態は、出力電力の電力振幅を定電力制御する出力振幅制御と、出力電力の電力量に相当する量をパルス電力のデューティー比で制御するデューティー制御とを行うことによって、出力電力の電力振幅の安定制御と反射波電力の増加に対する電源装置の保護とを実現することを共通に備えるものである。【００１９】
本発明のパルス変調高周波電力制御方法は、負荷に供給する高周波電力を制御する高周波電力の制御方法である。本発明の制御方法によって負荷に出力される高周波出力はパルス出力である。連続出力は高周波電力を時間的に連続して出力されるのに対して、パルス出力は高周波電力を時間的に断続して出力される。時間的に断続するパルス出力の内で、負荷に対してピーク電力が供給される期間（オン期間）と、負荷に対してピーク電力よりも小さな電力が供給される期間（オフ期間）とを交互に備える。ここで、負荷に対してピーク電力が供給される期間をオン期間とし、負荷に対してピーク電力よりも小さな電力が供給される期間をオフ期間とする。オン期間とオフ期間を併せた期間を一周期として、電力が供給される。【００２０】
図２７は、本発明のパルス変調高周波電力制御において、負荷に供給する高周波電力のパルス出力を説明するための図である。図２７（ａ）において、高周波電力はＴcycを一周期として断続して負荷に供給される。一周期（Ｔcyc）はオン期間（Ｔon）とオフ期間（Ｔoff）とを備える。パルス変調高周波電力制御では、オン期間において高周波電力を供給し、オフ期間では供給を制限し、オン期間とオフ期間の比率（デューティー比）を制御することによって、負荷に供給する電力を制御する。【００２１】
図２７（ａ）と図２７（ｂ）は、同じ高周波電力の出力状態を示しており、図２７（ｂ）は図２７（ａ）のオン期間の高周波電力の変化を簡略化して示している。以下の各図面では、図２７（ｂ）と同様に、高周波電力の出力状態を簡略化して示す。【００２２】
本発明のオフ期間は、負荷に対してピーク電力を供給しない期間の他に、ピーク電力よりも小さな電力を供給する期間を含むものとする。また、本発明において、ピーク電力の“ピーク”は電力の最大振幅を表している。例えば、ピーク進行波電力は、高周波電源から負荷に進む進行波電力において、振幅値が最大振幅である進行波電力を表し、振幅値が最大振幅に至らないものについては単に進行波電力と表記するものとする。【００２３】
本発明のパルス変調高周波電力制御方法は、パルス出力の振幅を制御する出力振幅制御工程と、パルス出力のデューティー比を制御するデューティー制御工程とを備える。【００２４】
出力振幅制御工程は、パルス出力の振幅値を制御して、振幅値が設定振幅値となるように定振幅制御を行う。出力振幅制御による定振幅制御は、例えば、電力制御によって出力されるパルス出力の振幅値をフィードバックし、このフィードバック値と予め設定しておいた設定振幅値との差分値を求め、この差分値が零となるように、パルス出力の振幅値を制御する。この出力振幅制御はＰＷＭ制御により行うことができ、例えば、差分値に基づいてオン時間幅を調整してパルス制御信号を形成し、形成したパルス制御信号によって入力直流電力をスイッチングすることによって、パルス出力の振幅値を制御する。【００２５】
デューティー制御工程は、パルス出力のデューティー比を制御して、このデューティー比で定まる電力量が設定電力値となるように定電力制御を行う。【００２６】
ここで、デューティー制御工程によって定電力制御を行う電力量としては、例えばピーク進行波電力の平均電力値、ピーク進行波電力とピーク反射波電力から求められるピークロード電力の平均電力値とすることができる。また、ピーク反射波電力は、負荷から高周波電源側に戻る反射波電力の最大振幅であり、ピークロード電力は、負荷に供給されるロード電力の最大振幅である。【００２７】
ピーク進行波電力の平均電力値およびピークロード電力の平均電力値は、高周波電源側から負荷側に供給される電力の平均電力値である。【００２８】
デューティー制御工程の定電力制御は、高周波電源側から負荷側に供給される電力において、時間的変動に因らずに定常的に電力量を設定電力値となるように制御するものであり、例として示したピーク進行波電力やピークロード電力の平均電力値に限らず、ピーク進行波電力やピークロード電力のメディア値や最頻度値など定常的に電力量を表す値を用いてもよい。【００２９】
本発明のパルス変調高周波電力制御方法は、出力振幅制御工程とデューティー制御工程とをそれぞれ独立に行って高周波電力をパルス変調することによって、両制御を互いに干渉することなく行う。これによって、例えば、ピーク進行波電力が一定となるように制御すると共に、平均進行波電力が一定となるように制御することができる。【００３０】
出力振幅制御工程およびデューティー制御工程は、負荷に供給する電力の他に、負荷に供給する電圧や電流をパルス出力の制御対象として制御を行うことができる。【００３１】
本発明のパルス変調高周波電力制御方法において、デューティー制御工程は、デューティー比の制御によって高周波電力を出力しないオフ時間を零とし、パルス出力を連続出力に切り換える工程を含むことができる。この制御によって、パルス出力の電力量は、そのパルス出力の振幅値と等しくなる。【００３２】
本発明のパルス変調高周波電力制御方法は、制御対象としてピーク進行波電力を制御する形態、制御対象として平均ロード電力を制御する形態とすることができる。【００３３】
デューティー制御工程において、制御対象としてピーク進行波電力を制御する形態では、パルス出力の制御対象をピーク進行波電力とし、出力振幅制御工程は、ピーク進行波電力の振幅値が設定振幅値となるように定振幅制御を行い、デューティー制御工程は、デューティー比で定まるピーク進行波電力の平均電力値が設定電力値となるように定電力制御を行い、これによってピーク進行波電力を制御する。【００３４】
また、このデューティー制御工程は、不連続出力とするパルス出力制御と、パルス出力を連続出力とする連続出力制御とを含む。【００３５】
パルス出力制御は、パルス出力の一周期内におけるオン時間とオフ時間とで定まるデューティー比においてオン時間を１００％未満とし、ピーク進行波電力の平均電力値が当該ピーク進行波電力の振幅値よりも小さくなるように制御して、パルス出力を不連続出力とする制御である。【００３６】
また、連続出力制御は、パルス出力の一周期内におけるオン時間とオフ時間とで定まるデューティー比においてオフ時間を０％としオン時間を１００％とし、パルス出力を連続出力とする制御である。この制御によって、ピーク進行波電力の平均電力値は、ピーク進行波電力の振幅値と等しくなる。【００３７】
デューティー制御工程において、制御対象として平均ロード電力を制御する形態では、出力振幅制御工程におけるパルス出力の制御対象をピーク進行波電力とし、デューティー制御工程におけるパルス出力の制御対象を平均ロード電力とし、出力振幅制御工程は、ピーク進行波電力の振幅値が一定となるように定振幅制御を行い、デューティー制御工程は、デューティー比で定まるピーク進行波電力とピーク反射波電力から求められるピークロード電力の平均電力値が設定電力値となるように定電力制御を行って平均ロード電力を制御する。【００３８】
本発明のデューティー制御において、出力振幅制御工程の定電力制御で得られたフィードバック値に基づいて、パルス出力のデューティー比を増減する。【００３９】
このデューティー比を増減する制御において、デューティー制御工程は、ピーク反射波電力値をフィードバックし、ピーク反射波電力が増加する際にデューティー比のオン時間比率を小さくして平均反射波電力の増加を抑制する。【００４０】
また、デューティー比を増減する制御において、デューティー制御工程は、ピーク反射波電力値をフィードバックし、ピーク反射波電力が増加する際に、デューティー比のオン時間比率を大きくして平均ロード電力を一定に制御する。【００４１】
ロード電力制御において、ピーク反射波電力が変動した際にピーク進行波電力を制御してピークロード電力制御を行うと、ピーク進行波電力が変動することによって、負荷側のプラズマ密度が変動して不安定となるおそれがある。これに対して、デューティー比のオン時間比率を加減して平均ロード電力を一定に制御することによって、ピーク進行波電力の出力を安定させることができる。【００４２】
連続出力制御によって高周波電力を制御する場合、ピーク反射波電力の振幅値が過大であるときに、本発明のパルス変調高周波電力制御方法を適用することによって平均反射波電力の増加を抑制することができる。【００４３】
連続出力制御に代えてパルス変調高周波電力制御を適用する制御モードとして、定常状態でピーク進行波電力を連続出力で供給する制御モード（連続進行波電力制御モード）と、高周波電源によってプラズマ負荷のプロセスを開始してプラズマを着火させる制御モード（プロセススタート制御モード）がある。【００４４】
連続進行波電力制御モードでは、一定のピーク進行波電力を連続出力する定常状態において、この連続出力中にピーク反射波電力の振幅値が過大となったときに、連続出力制御からパルス出力制御に切り換えて適用して、デューティー比を制御することで平均反射波電力の増加を抑制する。【００４５】
一方、プロセススタート制御モードでは、ピーク進行波電力を増加させる増加段階をパルス出力制御で行い、ピーク進行波電力が所定値に達した後は連続出力制御に切り換える制御であり、このピーク進行波電力の増加中にピーク反射波電力の振幅値が過大となったときに、連続出力制御からパルス出力制御に切り換えて適用して、デューティー比を制御することで平均反射波電力の増加を抑制する。【００４６】
ピーク進行波電力を定常状態で供給する制御モード（連続進行波電力制御モード）において、プロセス過程中で、ガス圧の変化やイオン反応などの要因で、チャンバー内のインピーダンスが変化し、反射波電力が一時的に増加する場合がある。このように反射波電力が増加した際に、従来のように出力電力を低下させると、整合回路の整合動作の連動によってチャンバー内のプラズマが不安定となる。【００４７】
これに対して、パルスのデューティー比のオン時間の比率を１００パーセントとして、平均進行波電力とピーク進行波電力とを一致させて連続進行波電力制御モードとし、ピーク反射波電力の振幅値が過大であるとき、デューティー比のオン時間の比率を１００パーセントから小さくして、連続出力制御からパルス出力制御に切り換えることにより、平均反射波電力の増加を抑制する。【００４８】
この制御によれば、ピーク進行波電力の変化を回避することができるため、負荷への電力供給を安定化させることができる。【００４９】
また、プロセススタート制御モードにおいて、プラズマが着火する前に、ピーク反射波電力が増加する傾向がある。このとき、従来のように出力電力を低下させると、出力電圧がチャンバー内のプラズマ着火電圧よりも低くなってプラズマの着火が困難となる。【００５０】
これに対して、本発明では、プロセススタート制御モードにおいて、連続出力制御でピーク進行波電力を増加させながら供給し、そのピーク進行波電力を増加させる途中でピーク反射波電力の振幅値が過大であるとき、デューティー比のオン時間比率を１００パーセントから小さくして、連続出力制御からパルス出力制御に切り換え、プラズマ着火によりピーク反射波電力が許容範囲に低下してから、ピーク進行波電力が増加した後、デューティー比のオン時間比率を１００パーセントに戻して、パルス出力制御から連続出力制御に切り換えることにより、ピーク進行波電力を増加させる期間での平均反射波電力の増加を抑制する。【００５１】
上記制御によって、ピーク反射波電力が増加した場合であっても、平均反射波電力を抑制しながらピーク進行波電力の供給を維持するため、プラズマを容易に着火させることが可能になり、チャンバー内のプラズマが着火した後は、プラズマ雰囲気が正常となってピーク反射波電力が減るため、デューティー制御によってデューティー比のオン時間比率を１００パーセントに戻して、パルス出力制御から連続出力制御に切り換える。【００５２】
なお、ピーク反射波電力の振幅値が過大であるか否かの判定は、例えばピーク反射波電力のフィードバック値と予め設定した設定値とを比較することで行う他、ピーク反射波電力のフィードバック値の増加率と予め設定した設定値とを比較することで行うことができる。【００５３】
また、プロセススタート制御モードは、前記した連続出力制御に代えて、デューティー制御によって行うことができる。【００５４】
このプロセススタート制御モードにおけるデューティー制御において、ピーク反射波電力の振幅値が過大であるとき、デューティー比のオン時間比率を漸次増加させることによって、平均反射波電力の増加を抑制する。【００５５】
この制御によって、ピーク反射波電力が増加した場合であっても、平均反射波電力を抑制しながらピーク進行波電力の供給を維持するため、プラズマの着火を可能とすることができ、チャンバー内のプラズマが着火した後は、プラズマ雰囲気が正常となってピーク反射波電力が減るため、デューティー制御によってデューティー比のオン時間比率を１００パーセントとしてデューティー制御から連続出力制御に切り換える。【００５６】
本発明のパルス変調高周波電力制御のデューティー制御において、パルス電力の一周期はオン期間とオフ期間とを備え、各期間での電力レベルによって二つの電力制御の形態を備える。【００５７】
一つの電力制御は、デューティー制御において、オフ期間においてパルス出力の電力値を零とし、オン期間においてパルス出力の電力値を設定電力値とする制御形態（ＯＮ／ＯＦＦ電力制御）である。また、別の電力制御は、デューティー制御において、オフ期間においてパルス出力の電力値を零と設定電力値との幅間で定める所定電力値とし、オン期間においてパルス出力の電力値を設定電力値とする制御形態（ハイ／ロウ電力制御）である。【００５８】
ハイ／ロウ電力制御は、パルスのオフ期間での電力レベルを所定値以上に設定することによって、オフ期間中のプラズマが消えるという状態を回避することができる。【００５９】
また、本発明のパルス変調高周波電力制御において、デューティー制御は複数の制御形態を適用することができる。【００６０】
デューティー制御の一制御形態は、周波数を一定とするＰＷＭ制御であって、周波数を一定としオン期間の時間幅とオフ期間の時間幅の時間幅の比率を制御する。また、デューティーの他の一制御形態は、オン幅あるいはオフ幅を一定とするＰＦＭ制御であって、オン期間の時間幅を一定としオフ期間の時間幅を変化させる、又は、オフ期間の時間幅を一定としオン期間の時間幅を変化させることによってパルス出力の周波数を制御する。【００６１】
なお、出力振幅制御で行うＰＷＭ制御は、入力直流電力をスイッチングすることによってパルス出力の振幅値を制御するものであり、デューティー制御で行うＰＷＭ制御は、出力振幅制御で制御された振幅値を維持した状態で、平均進行波電力を制御するものであり、制御対象を別にするものであって互いに干渉するものではなく、それぞれ独立して制御することができる。これによって、ピーク反射波電力が増加した場合であっても、ピーク進行波電力の振幅幅を低下させることなく、平均進行波電力を制御することができる。【００６２】
次に、本発明のパルス変調高周波電源装置の態様について説明する。【００６３】
本発明のパルス変調高周波電源装置は、負荷に高周波電力を供給する高周波電源装置であり、パルス出力の高周波出力を出力する高周波出力部と、パルス出力の振幅を制御する出力振幅制御部と、パルス出力のデューティー比を制御するデューティー制御部とを備える。【００６４】
出力振幅制御部は、パルス出力の振幅値を制御して、振幅値が設定振幅値となるように定振幅制御を行う。デューティー制御部は、パルス出力のデューティー比を制御して、デューティー比で定まる電力量が設定電力値となるように定電力制御を行う。出力振幅制御部とデューティー制御部は、高周波出力部をそれぞれ独立に制御して高周波電力をパルス変調することができる。【００６５】
本発明のパルス変調高周波電源装置は上記した出力振幅制御部およびデューティー制御部の構成によって、上記したパルス変調高周波電力制御の各制御を行う。【００６６】
なお、パルス変調高周波電源装置が行うパルス変調高周波電力制御の各制御については、上記説明と重複するためここでの説明は省略する。【００６７】
出力振幅制御部およびデューティー制御部は、パルス変調高周波電力制御の各制御を実施するハードウエアで構成する他、ＣＰＵと各制御を実施するプログラムや演算結果を格納するメモリ等によって構成することができる。【００６８】
出力振幅制御部は、例えば、設定振幅値（振幅指令値）と高周波出力部からのフィードバックしたパルス出力の振幅値との差分を求める誤差検出器、発振器からのパルス信号を誤差検出器で検出した差分値に基づいてＰＷＭ制御を行うＰＷＭ制御器とによって構成することができる。【００６９】
デューティー制御部は、例えば、設定電力値（平均電力指令値）と高周波出力部からのフィードバックの平均値との差分値を求める誤差検出器、発振器からのパルス信号を誤差検出器で検出した差分値に基づいて、パルス信号のデューティー比を変更するデューティー比変更器とによって構成することができる。【００７０】
高周波出力部は、直流電力をパルス変調して高周波電力を出力する。高周波出力部は、出力振幅制御部からの制御信号に基づいて直流電力を定振幅制御し、振幅値が設定振幅値となるようにパルス変調する。次に、出力振幅制御部で定振幅制御したパルス出力のデューティー比を、デューティー制御部からの制御信号に基づいて制御し、パルス出力の電力量が設定電力値となるように定電力制御を行う。【００７１】
高周波出力部は、出力振幅制御部からの制御信号に基づいて直流電力を定振幅制御してパルス出力を出力する増幅器と、デューティー制御部からの制御信号に基づいて、出力振幅制御部のパルス出力を定電力制御するスイッチング回路とを備える。また、高周波出力部は、デューティー制御部でパルス変調したパルス出力を検出して、出力振幅制御部およびデューティー制御部にフィードバックする検出器を備える。高周波出力部が備える検出器は、パルス出力の電力を検出する他、電圧や電流を検出し、これらの検出値をフィードバック値とすることができる。【００７２】
高周波出力部は、負荷にパルス出力を供給する。パルス出力の供給において、高周波出力部と負荷との間に整合器を配置し、インピーダンス整合を行うことができる。【００７３】
本発明の態様によれば、出力電力の電力振幅を安定制御することによって、負荷側のプラズマ密度およびプラズマ雰囲気を安定させ、プラズマ処理によるプロセスの均一性およびプロセスによる製品の品質を向上させることができる。【００７４】
また、本発明の態様によれば、反射波電力の増加に対して、平均反射波電力を抑制して電源装置を保護すると共に、進行波電力の電力振幅（ピーク進行波電力）を維持することによって、整合回路の不要な整合動作を不要とし、プラズマ負荷を安定化させることができる。【００７５】
また、本発明の態様によれば、負荷でのプロセス起動時において、チャンバー内のプラズマの発生を容易とすることができる。
【発明の効果】
【００７６】
以上説明したように、本発明のパルス変調高周波電力制御方法およびパルス変調高周波電源装置によれば、パルス電力制御において電力変動に対して、出力電力の電力振幅（ピーク電力）を一定に制御することによって、出力電力の電力振幅の変動による負荷に対する影響を回避することができる。
【図面の簡単な説明】
【００７７】
【図１】本発明のパルス変調高周波電源装置の概略構成を説明するための図である。
【図２】本発明のデューティー制御を説明するための図である。
【図３】本発明のデューティー制御を説明するための図である。
【図４】本発明のデューティー制御の制御形態を説明するための図である。
【図５】本発明のパルス変調高周波電源装置の詳細な構成例を説明するための図である。
【図６】本発明の第１の態様において、進行波電力を制御対象とする場合の構成例を説明するための図である。
【図７】本発明の第１の態様において、進行波電力を制御対象とするデューティー制御の動作例を説明するためのフローチャートである。
【図８】本発明の第１の態様において、進行波電力を制御対象とするデューティー制御の動作例を説明するための信号図である。
【図９】本発明の第２の態様において、反射波電力による制御の構成例を説明するための図である。
【図１０】本発明の第２の態様において、反射波電力の増加時の動作例を説明するためのフローチャートである。
【図１１】本発明の第２の態様において、反射波電力の増加時の動作例を説明するための信号図である。
【図１２】本発明の第２の態様において、反射波電力の増加時の動作例を説明するための信号図である。
【図１３】本発明の第３の態様において、ロード電力制御の構成例を説明するための図である。
【図１４】本発明の第３の態様において、ロード電力制御の動作例を説明するためのフローチャートである。
【図１５】本発明の第３の態様において、ロード電力制御の動作例を説明するための信号図である。
【図１６】本発明の第３の態様において、ロード電力制御の従来動作例を説明するための信号図である。
【図１７】本発明の第４の態様において、連続進行波電力制御モードにデューティー制御を適用する構成例を説明するための図である。
【図１８】本発明の第４の態様において、連続進行波電力制御モードにデューティー制御を適用する制御動作例を説明するためのフローチャートである。
【図１９】本発明の第４の態様において、連続進行波電力制御モードにデューティー制御を適用する制御動作例を説明するための信号図である。
【図２０】本発明の第４の態様において、連続進行波電力制御モードの従来の制御動作例を説明するための信号図である。
【図２１】本発明の第５の態様において、連続進行波電力制御モードにデューティー制御を適用してピーク進行波電力を増加させる場合の構成例を説明するための図である。
【図２２】本発明の第５の態様において、連続進行波電力制御モードにデューティー制御を適用してピーク進行波電力を増加させる場合の制御動作例を説明するためのフローチャートである。
【図２３】本発明の第５の態様において、連続進行波電力制御モードにデューティー制御を適用してピーク進行波電力を増加させる場合の制御動作例を説明するための信号図である。
【図２４】本発明の第５の態様において、連続進行波電力制御モードでピーク進行波電力を増加させる場合の従来の制御動作例を説明するための信号図である。
【図２５】本発明の第６の態様において、デューティー制御においてプロセススタート時等のピーク進行波電力を増加させる制御動作例を説明するためのフローチャートである。
【図２６】本発明の第６の態様において、デューティー制御においてプロセススタート時等のピーク進行波電力を増加させる制御動作例を説明するための信号図である。
【図２７】パルス変調高周波電力制御における高周波電力のパルス出力を説明するための図である。
【符号の説明】
【００７８】
１    パルス変調高周波電源装置
１Ａ    パルス変調高周波電源装置
１Ｂ    パルス変調高周波電源装置
１Ｃ    パルス変調高周波電源装置
１Ｄ    パルス変調高周波電源装置
１Ｅ    パルス変調高周波電源装置
２    出力振幅制御部
２Ａ    ピーク進行波電力制御部
２Ｂ    ピーク進行波電力制御部
２Ｃ    ピーク進行波電力制御部
２Ｄ    ピーク進行波電力制御部
２Ｅ    ピーク進行波電力制御部
２ａ    誤差検出器
２ｂ    発振器
２ｃ    制御回路
３    デューティー制御部
３Ａ    平均進行波電力制御部
３Ｂ    平均進行波電力制御部
３Ｃ    平均ロード電力制御部
３Ｄ    平均進行波電力制御部
３Ｅ    平均進行波電力制御部
３ａ    誤差検出器
３ｂ    発振器
３ｃ    デューティー比変更回路
４    高周波出力部
４Ａ    高周波出力部
４Ｂ    高周波出力部
４Ｃ    高周波出力部
４Ｄ    高周波出力部
４Ｅ    高周波出力部
４ａ    スイッチング回路
４ｂ    平滑回路
４ｃ    スイッチング回路
４ｄ    電力検出器
４d0  高周波出力回路
４d1    方向性結合器
４d2    進行波電力検出部
４d3    反射波電力検出部
５    整合回路
６    負荷
７    平均処理回路
７Ａ    平均処理部
７Ｂ    平均処理部
７Ｄ    平均処理部
７Ｅ    平均処理部
７c1，７c2    平均処理部
８Ｄ    デューティー制御部
８Ｅ    デューティー制御部
ＰF    ピーク進行波電力
ＰＦＡＶ    平均進行波電力
Ｐlow    進行波電力ロウレベル
ＰＬ    ピークロード電力
ＰＬＡＶ    平均ロード電力
ＰＬＡＶＯ    平均ロード電力指令値
ＰＲ    ピーク反射波電力
ＰＲＡＶ    平均反射波電力
Ｔcyc    周期
Ｔhigh ハイ幅
Ｔlow    ロウ幅
Ｔoff    オフ幅
Ｔon    オン幅
【発明を実施するための最良の形態】
【００７９】
以下、本発明の実施の形態について、図を参照しながら詳細に説明する。【００８０】
本発明のパルス変調高周波電源装置の基本構成および本発明のパルス変調高周波電力制御方法について図１〜図５を用いて説明し、制御対象として進行波電力の場合について図６〜図８を用いて説明し、ピーク反射波電力の増加時の処理例について図９〜図１２を用いて説明し、パルスピークロード電力制御によってパルス出力の負荷を制御する場合について図１３〜図１６を用いて説明し、連続進行波電力制御モードにデューティー制御を適用する場合について図１７〜図２０を用いて説明し、連続進行波電力制御モードにデューティー制御を適用して、プロセススタート時等のピーク進行波電力を増加させる場合について図２１〜図２４を用いて説明し、デューティー制御において、プロセススタート時等のピーク進行波電力を増加させる場合について図２５，図２６を用いて説明する。【００８１】
[パルス変調高周波電力制御の基本構成] 
はじめに、本発明のパルス変調高周波電源装置の概略構成について図１について説明する。【００８２】
パルス変調高周波電源装置１は、パルス出力の振幅を制御する出力振幅制御部２と、パルス出力のデューティー比を制御するデューティー制御部３とパルス出力の高周波出力を出力する高周波出力部４とを備え、高周波出力部４は負荷６に高周波出力を出力する。負荷６は、例えば、チャンバー内で生成されるプラズマ負荷とすることができる。【００８３】
高周波出力部４と負荷６との間には、両者間のインピーダンスを整合する整合回路５を接続することができる。【００８４】
高周波出力部４は、直流電力をパルス変調して高周波出力を生成する。直流電力は、直流電源から得る他、交流電力をＡＣ／ＤＣ変換して得ることができる。高周波出力部４と負荷６との間の電力の移動は双方で行われ、高周波出力部４から負荷６に向かって進行波電力が供給され、負荷６から高周波出力部４に向かって反射波電力が戻される。この進行波電力と反射波電力との差し引きによって、高周波出力部４から負荷６に向かった負荷電力が供給される。ここで、進行波電力の最大振幅をピーク進行波電力と呼び、反射波電力の最大振幅をピーク反射波電力と呼ぶ。【００８５】
パルス変調は、出力振幅制御部２によるパルス出力の振幅制御と、デューティー制御部３による電力量制御とによって行う。【００８６】
出力振幅制御部２は、指令値として設定振幅値を入力し、フィードバック値としてパルス出力の振幅値を入力して、振幅値が設定振幅値となるように定振幅制御を行う。パルス出力の振幅値は、電力値、電圧値、あるいは電流値とすることができ、高周波出力部４内に設けた検出器、あるいは高周波出力部４と負荷６との間に設けた検出器によって検出することができる。この出力振幅制御部２の定振幅制御において、パルス出力の振幅値（ピーク値）は設定値に制御される。【００８７】
デューティー制御部３は、指令値として設定値を入力し、フィードバック値としてパルス出力値を入力して、パルス出力値が設定値となるようにパルス出力のデューティー比を制御して、このデューティー比で定まる値が設定値となるように定値制御を行う。パルス出力値は、電力値、電圧値、あるいは電流値とすることができる。【００８８】
パルス出力の電力値に相当する量は、例えば、平均進行波電力とすることができる、このときの設定値は平均出力電力指令値を用いる。デューティー制御部３による定電力制御は、高周波電源側から負荷側に供給される電力において、時間的変動に因らずに定常的に電力量が平均出力電力指令値となるように制御するものであり、ピーク進行波電力やピークロード電力の平均電力値に限らず、ピーク進行波電力やピークロード電力のメディア値や最頻度値など定常的に電力量を表す値を用いてもよい。【００８９】
本発明の出力振幅制御部２とデューティー制御部３は、高周波出力部４をそれぞれ独立に制御して高周波電力をパルス変調する。【００９０】
なお、図１では、説明の便宜上から出力振幅制御部２とデューティー制御部３を個別の構成で示しているが、一つの制御部によって構成しても良い。また、高周波出力部４についても個別の構成で示しているが、出力振幅制御部２およびデューティー制御部３の制御部と共に一つの回路で構成しても良い。【００９１】
また、各制御部および高周波出力部は、ハードウエアによる構成、あるいはＣＰＵと各信号をＣＰＵに実行させるプログラムや演算処理結果を記憶するメモリ等を含むソフトウエアによる構成とすることができる。【００９２】
[デューティー制御] 
デューティー制御部３によるデューティー制御について図２，図３を用いて説明する。【００９３】
デューティー制御は、パルス出力のデューティー比を変えることによって、出力電力値をパルス変調する。ここでは、進行波電力を例として説明する。本発明のパルス変調高周波電力制御では、出力振幅制御部２によってピーク進行波電力ＰFの最大振幅値（ピーク値）が設定値となるように制御され、このピーク進行波電力を設定値に維持した状態で、平均進行波電力ＰＦＡＶが設定電力値となるように、デューティー比を制御する。【００９４】
パルス電力の一周期はオン期間とオフ期間とを備え、各期間での電力レベルによって二つの電力制御の形態を備える。【００９５】
一つの電力制御は、デューティー制御において、オフ期間においてパルス出力の電力値を零とし、オン期間においてパルス出力の電力値を設定電力値とする制御形態（ＯＮ／ＯＦＦ電力制御）である。図２はこのＯＮ／ＯＦＦ電力制御を示している。図２において、１周期Ｔcycは、ピーク進行波電力を出力する期間のオン幅Ｔonと、電力出力を行わない期間のオフ幅Ｔoffとを有し、このＴonとＴoffに基づいてデューティー比が定められる。デューティー比は、例えば、１周期Ｔcycに対するオン幅Ｔonの比率で表すＯＮデューティーＤonで表すことができる。
Ｄon＝Ｔon／（Ｔon＋Ｔoff）
Ｔcyc＝Ｔon＋Ｔoff【００９６】
平均進行波電力ＰＦＡＶはＯＮデューティーＤonを用いて以下の式で表すことができる。
ＰＦＡＶ＝ＰＦ×Ｄon【００９７】
したがって、平均進行波電力ＰＦＡＶはＯＮデューティーＤonを変えることによって平均進行波電力ＰＦＡＶを所定の電力値に制御することができる。【００９８】
また、このデューティー制御において、平均進行波電力ＰＦＡＶが設定電力値となるようにデューティー比を制御する際、平均進行波電力ＰＦＡＶを垂下させる場合がある。この平均進行波電力ＰＦＡＶを垂下させる要因としては、例えば反射波電力の増加（図２（ｂ））、反射電圧や電流の増加がある。【００９９】
このような平均進行波電力ＰＦＡＶを垂下させる要因に対して、図２（ａ）で示すように、ＯＮデューティーＤonを下げることによって平均進行波電力ＰＦＡＶを低下させる制御を行う。【０１００】
また、別の電力制御は、デューティー制御において、オフ期間においてパルス出力の電力値を零と設定電力値との幅間で定める所定電力値とし、オン期間においてパルス出力の電力値を設定電力値とする制御形態（ハイ／ロウ電力制御）である。【０１０１】
図３は、このハイ／ロウ電力制御を示している。図３において、１周期Ｔcycは、ピーク進行波電力を出力する期間のハイ幅Ｔhighと、電力出力がピーク進行波電力よりも低い進行波電力ロウレベルＰlowとする期間のロウ幅Ｔlowとを有し、このＴhighとＴlowに基づいてデューティー比が定められる。デューティー比は、例えば、１周期Ｔcycに対するハイ幅Ｔhighの比率で表すことができる。平均進行波電力ＰＦＡＶは、このデューティー比と、ピーク進行波電力ＰＦおよび進行波電力ロウレベルＰlowによって定まる。【０１０２】
ハイ／ロウ電力制御は、パルスのロウ期間での電力レベルを所定値以上に設定することによって、ロウ期間中のプラズマが消えるという状態を回避することができる。【０１０３】
次に、図４を用いてデューティー制御の制御形態について説明する。【０１０４】
デューティー制御の一制御形態は、周波数を一定とするＰＷＭ制御である。図４（ａ）はＰＷＭ制御を説明するための図である。【０１０５】
周波数を一定とする。図４（ａ）〜（ｃ）では周期Ｔcycを一定としている。オン期間の時間幅Ｔonとオフ期間の時間幅Ｔoffの時間幅の比率（ＯＮデューティーＤon）を制御する。図４（ａ）〜（ｃ）は、時間幅Ｔonの比率が大きくなる順で示している。【０１０６】
デューティーの他の一制御形態は、オン幅あるいはオフ幅を一定とするＰＦＭ制御である。【０１０７】
図４（ｄ）〜（ｆ）はオン期間の時間幅を一定としオフ期間の時間幅を変化させるＰＦＭ制御の例であり、オフ期間の時間幅Ｔoffが大きくなる順で示している。【０１０８】
図４（ｇ）〜（ｉ）はオフ期間の時間幅を一定としオン期間の時間幅を変化させるＰＦＭ制御の例であり、オン期間の時間幅Ｔonが大きくなる順で示している。【０１０９】
［パルス変調高周波電源装置の構成例］
次に、パルス変調高周波電源装置１についてより詳細な構成例について図５を用いて説明する。【０１１０】
高周波出力部４は、出力振幅制御部２の制御信号に基づいて直流入力電力の振幅値をＰＷＭ制御する回路部と、デューティー制御部３の制御信号に基づいてパルス出力のデューティー比を制御する回路部とを備える。【０１１１】
ＰＷＭ制御を行う回路部は、例えば、直流入力電力の振幅値をＰＷＭ制御によって変更するスイッチング回路４ａ、スイッチング回路４ａで振幅値が制御された直流電力からノイズ分を除去する平滑回路４ｂによって構成することができる。【０１１２】
直流入力電力は、直流電源が得られる直流入力電力を用いる他、交流電源から得られる交流電力をＡＣ／ＤＣ変換器で直流電力に変換したものを用いることができる。【０１１３】
デューティー比を制御する回路部は、前記回路部で振幅制御した直流電力をパルス出力とすると共に、このパルス出力のデューティー比を制御して電力量を設定電力値となるように制御するスイッチング回路４ｃを備える。【０１１４】
また、高周波出力部４は、出力振幅制御部２およびデューティー制御部３にフィードバックするフィードバック値を検出する検出回路を備えることができる。なお、この検出回路は高周波出力部４の外部に設けることもできる。【０１１５】
図５では、検出器としてピーク進行波電力を検出する電力検出器４ｄを示している。電力検出器４ｄは、図示していない方向性結合器によってピーク進行波電力を選択して検出することができる。検出されたピーク進行波電力を、出力振幅制御部２にフィードバックすると共に、平均処理回路７で平均処理した平均進行波電力をデューティー制御部３にフィードバックする。【０１１６】
出力振幅制御部２は、例えば、誤差検出器２ａ、発振器２ｂ、およびＰＷＭ制御回路２ｃで構成することができる。誤差検出器２ａは、設定振幅値を指令値として入力すると共に、高周波出力部４からフィードバックされたピーク進行波電力をフィードバック値のパルス出力振幅値として入力し、パルス出力振幅値と設定振幅値との差分値を検出する。【０１１７】
ＰＷＭ制御回路２ｃは、誤差検出器２ａで検出した差分値を制御信号として、発振器２ｂからのパルス信号をＰＷＭ制御する。ＰＷＭ制御によって、ＰＷＭ回路２ｃからは振幅値が設定振幅値となるように制御する制御信号が形成される。【０１１８】
高周波出力部４のスイッチング回路４ａは、このＰＷＭ回路２ｃの制御信号に基づいて直流電力の振幅値を制御する。【０１１９】
デューティー制御部３は、例えば、誤差検出器３ａ、発振器３ｂ、およびデューティー比変更回路３ｃで構成することができる。【０１２０】
誤差検出器３ａは、設定電力値を指令値として入力すると共に、高周波出力部４からフィードバックされ、平均処理回路７で平均処理された平均進行波電力をフィードバック値の電力値として入力し、フィードバックされた電力値と設定電力値との差分値を検出する。【０１２１】
デューティー比変更回路３ｃは、誤差検出器３ａで検出した差分値を制御信号として、発振器３ｂからのパルス信号のデューティー比を変更する。デューティー比の変更によって、デューティー比変更回路３ｃからは、電力値が設定電力値となるように制御する制御信号が形成される。【０１２２】
高周波出力部４のスイッチング回路４ｃは、このデューティー比変更回路３ｃの制御信号に基づいてパルス出力のデューティー比を制御する。【０１２３】
[第１の態様：制御対象が進行波電力の場合の構成および制御]
次に、本発明の第１の態様として、制御対象が進行波電力の場合の構成および制御動作について図６〜図８を用いて説明する。【０１２４】
図６は進行波電力を制御対象とする場合の構成例を説明するための図である。図６において、パルス変調高周波電源装置１Ａの構成は、図１で示した構成とほぼ同様であり、パルス出力の振幅を制御する出力振幅制御部２としてピーク進行波電力制御部２Ａを備え、パルス出力のデューティー比を制御するデューティー制御部３として平均進行波電力制御部３Ａを備え、パルス出力の高周波出力を出力する高周波出力部４として高周波出力部４Ａを備える。高周波出力部４Ａは負荷に高周波出力を出力する。【０１２５】
ピーク進行波電力制御部２Ａは、ピーク進行波電力指令値を振幅指令値として入力し、ピーク進行波フィードバック値をパルス出力の振幅値として入力し、ピーク進行波電力の振幅値がピーク進行波電力指令値となるように、高周波出力部４Ａの高周波出力回路４d0を定振幅制御する。【０１２６】
平均進行波電力制御部３Ａは、平均進行波電力指令値を電力指令値として入力し、平均進行波フィードバック値をパルス出力の電力値として入力し、平均進行波電力の電力値が平均進行波電力指令値となるように、高周波出力部４Ａの高周波出力回路４d0をデューティー制御する。また、このデューティー制御において、平均進行波電力フィードバック値が平均進行波電力指令値となるようにデューティー比を制御する際、平均進行波電力を垂下させる垂下要因（例えば、反射波電力、反射電圧、電流等の増加等）が発生した場合には、ＯＮデューティーＤonを下げることによって平均進行波電力を低下させる制御を行う。【０１２７】
ピーク進行波フィードバック値は、高周波出力部４Ａが備える方向性結合器４d1で進行波電力を分離し、進行波電力検出器４d2によって検出することができる。ピーク進行波電力制御部２Ａは、このピーク進行波フィードバック値を入力する。【０１２８】
平均処理部７Ａは、ピーク進行波フィードバック値を平均処理して平均進行波電力とする。平均進行波電力制御部３Ａは、この平均進行波電力をフィードバック値として入力する。【０１２９】
図７、８は、進行波電力を制御対象とするデューティー制御の動作例を説明するためのフローチャートおよび信号図である。【０１３０】
進行波電力検出部4d2によってピーク進行波電力を検出し(S1)、検出したピーク進行波電力の平均値を平均処理部７Ａで求め、求めた平均進行波電力を平均進行波電力制御部３Ａに入力する（S2）。【０１３１】
平均進行波電力制御部３Ａは、入力した平均進行波電力と平均進行波電力指令値との差分を求める（S3）。求めた差分について、平均進行波電力が平均進行波電力指令値よりも小さい場合には(S4)、ＯＮデューティーＤonを大きく設定し(S5)、平均進行波電力が平均進行波電力指令値よりも大きい場合には、ＯＮデューティーＤonを小さく設定する(S6)。【０１３２】
平均進行波電力が平均進行波電力指令値に一致する場合には、ＯＮデューティーＤonは変更することなくその値を維持する(S7)。【０１３３】
図８に示す信号図において、図８（ａ）はピーク進行波電力ＰＦを示し、図８（ｂ）は平均進行波電力ＰＦＡＶを示し、図８（ｃ）はデューティー比（ＯＮデューティーＤon）を示している。【０１３４】
平均進行波電力のフィードバック値（図８（ｂ）中の実線で示す）が平均進行波電力指令値（図８（ｂ）中の破線で示す）よりも低下した場合（図８（ｂ）中の時点Ａ）には、ＯＮデューティーＤonを大きくする（図８（ｃ）中の時点Ａ）。ＯＮデューティーＤonを大きくすることにより、ピーク進行波電力ＰＦのオン期間の比率が大きくなり（図８（ａ）中の時点Ａ）、平均進行波電力が増加する。【０１３５】
平均進行波電力のフィードバック値（図８（ｂ）中の実線で示す）が増加して平均進行波電力指令値（図８（ｂ）中の破線で示す）に達した場合（図８（ｂ）中の時点Ｂ）には、ＯＮデューティーＤonを元に戻す（図８（ｃ）中の時点Ｂ）。ＯＮデューティーＤonを元に戻すことにより、ピーク進行波電力ＰＦのオン期間の比率が元に戻る（図８（ａ）中の時点Ｂ）。【０１３６】
平均進行波電力のフィードバック値（図８（ｂ）中の実線で示す）が平均進行波電力指令値（図８（ｂ）中の破線で示す）よりも上昇した場合（図８（ｂ）中の時点Ｃ）には、ＯＮデューティーＤonを小さくする（図８（ｃ）中の時点Ｃ）。ＯＮデューティーＤonを小さくすることにより、ピーク進行波電力ＰＦのオン期間の比率が小さくなり（図８（ａ）中の時点Ｃ）、平均進行波電力が減少する。【０１３７】
平均進行波電力のフィードバック値（図８（ｂ）中の実線で示す）が減少して平均進行波電力指令値（図８（ｂ）中の破線で示す）に達した場合（図８（ｂ）中の時点Ｄ）には、ＯＮデューティーＤonを元に戻す（図８（ｃ）中の時点Ｄ）。ＯＮデューティーＤonを元に戻すことにより、ピーク進行波電力ＰＦのオン期間の比率が元に戻る（図８（ａ）中の時点Ｄ）。【０１３８】
[第２の態様：ピーク反射波電力の増加時の制御例]
次に、本発明の第２の態様として、前記した進行波電力の制御において、ピーク反射波電力が増加したときの制御について、図９〜図１２を用いて説明する。【０１３９】
図９において、パルス変調高周波電源装置１Ｂの構成は、図６で示した構成とほぼ同様であり、パルス出力の振幅を制御するピーク進行波電力制御部２Ｂと、パルス出力のデューティー比を制御する平均進行波電力制御部３Ｂと、パルス出力の高周波出力を出力する高周波出力部４Ｂと、平均処理部７Ｂとを備える。高周波出力部４Ｂは、高周波出力回路４d0と、ピーク進行波電力を検出する進行波電力検出部４d2と、ピーク反射波電力を検出する反射波電力検出部４d3と、ピーク進行波電力とピーク反射波電力とを分離して取り出す方向性結合器４d1を備える。【０１４０】
反射波電力検出部４d3を除く構成部分は、図６で示したパルス変調高周波電源装置１Ａの構成と同様であるため、ここでは主に反射波電力検出部４d3について説明する。【０１４１】
方向性結合器４d1はピーク進行波電力とピーク反射波電力とを分離し、ピーク進行波電力を進行波電力検出部４d2に入力し、ピーク反射波電力を反射波電力検出部４d3に入力する。【０１４２】
反射波電力検出部４d3は、検出したピーク反射波電力値を平均進行波電力制御部３Ｂに送り、平均進行波電力制御部３Ｂは送られたピーク反射波電力値を用いて、デューティー制御を調整する。このデューティー制御の調整は、例えば、ピーク反射波電力が増加した場合に、平均反射波電力を抑制することによって電源保護を行うために行う。このデューティー制御の調整において、ピーク進行波電力ＰＦは一定に制御されているため、整合回路の整合動作は安定となり、チャンバーへの電力注入は安定する。【０１４３】
図１０，１１，１２は、デューティー制御において、反射波電力の増加時の動作例を説明するためのフローチャートおよび信号図である。【０１４４】
デューティー制御において(S11)、反射波電力検出部４d3によって反射波電力を検出し、反射波電力が増加した場合には(S12)、平均進行波電力制御部３Ｂのデューティー制御で求めたデューティー比を下げ（S13）、平均反射波電力ＰＲＡＶを抑制する(S14)。【０１４５】
平均反射波電力ＰＲＡＶの抑制が不十分である場合には(S15)、S13の工程でデューティー比をさらに下げる。平均反射波電力ＰＲＡＶが抑制された場合には(S15)、下げたデューティー比を元に戻す（S16）。【０１４６】
図１１に示す信号図は、デューティー制御を行っている状態からピーク反射波電力が増加する場合に平均反射波電力を抑制する状態を示している。【０１４７】
図１１（ａ）はピーク反射波電力ＰＲおよび平均反射波電力ＰＲＡＶを示し、図１１（ｂ）はデューティー比（ＯＮデューティーＤon）を示し、図１１（ｃ）はピーク進行波電力ＰＦおよび平均進行波電力ＰＦＡＶを示している。【０１４８】
ピーク反射波電力ＰＲ（図１１（ａ）中の実線で示す）が増加した場合（図１１（ａ）中の時点Ｅ）には、ＯＮデューティーＤonを下げる（図１１（ｂ）中の時点Ｅ）。ＯＮデューティーＤonを下げることにより、ピーク進行波電力ＰＦのオン期間の比率が小さくなり（図１１（ｂ）中の時点Ｅ）、平均進行波電力ＰＦＡＶが減少し（図１１（ｃ）中の時点Ｅ）、平均反射波電力ＰＲＡＶが減少する（図１１（ａ）中の時点Ｅ）。【０１４９】
ピーク反射波電力のフィードバック値が減少した場合（図１１（ａ）中の時点Ｆ）には、ＯＮデューティーＤonを元に戻す（図１１（ｂ）中の時点Ｆ）。ＯＮデューティーＤonを元に戻すことにより、ピーク進行波電力ＰＦのオン期間の比率が元に戻って（図１１（ｂ）中の時点Ｆ）、平均進行波電力ＰＦＡＶが元に戻り（図１１（ｃ）中の時点Ｆ）、平均反射波電力ＰＲＡＶが元に戻る（図１１（ａ）中の時点Ｆ）。【０１５０】
図１２は、デューティー比（ＯＮデューティーＤon）の増減と平均進行波電力ＰＦＡＶの増減との関係を説明するための信号図である。ここでは、周期（Ｔcyc）を一定とし、オン幅Ｔonを縮め、オフ幅Ｔoffを広げることによってＯＮデューティーＤonを減少させる場合を示している。オン幅Ｔonの期間を短くし、オフ幅Ｔoffの期間を長くすることによって、一周期内で負荷方向に供給される進行波電力の電力量は減るため、平均進行波電力ＰＦＡＶは減少する。【０１５１】
[第３の態様：ロード電力制御の構成および制御] 
次に、本発明の第３の態様として、ロード電力制御の構成および制御動作について図１３〜図１６を用いて説明する。【０１５２】
ロード電力は、進行波電力から反射波電力を差し引いた電力であり、ロード電力制御は、パルス変調高周波電源装置から負荷に実質的に供給される平均ロード電力（平均負荷電力）を制御することによって、ピーク進行波電力の出力を安定させる。【０１５３】
ロード電力制御は、出力振幅制御のパルス出力の制御対象をピーク進行波電力とし、デューティー制御工程のパルス出力の制御対象を平均ロード電力とし、出力振幅制御によってピーク進行波電力の振幅値が一定となるように定振幅制御を行い、デューティー制御によって、デューティー比で定まるピーク進行波電力とピーク反射波電力から求められるピークロード電力の平均電力値が設定電力値となるように定電力制御を行って平均ロード電力を制御する。【０１５４】
図１３において、パルス変調高周波電源装置１Ｃの構成は、図９で示した構成とほぼ同様であり、ピーク進行波電力の振幅を制御するピーク進行波電力制御部２Ｃと、パルス出力のデューティー比を制御する平均ロード電力制御部３Ｃと、パルス出力の高周波出力を出力する高周波出力部４Ｃと、平均処理部７c1，７c2とを備える。高周波出力部４Ｃは、高周波出力回路４d0と、ピーク進行波電力を検出する進行波電力検出部４d2と、ピーク反射波電力を検出する反射波電力検出部４d3と、ピーク進行波電力とピーク反射波電力とを分離して取り出す方向性結合器４d1を備える。【０１５５】
平均処理部７ｃ1は、進行波電力検出部４d2で検出したピーク進行波電力から平均進行波電力を求め、平均処理部７c2は、反射波電力検出部４d3で検出した反射波電力から平均反射波電力を求める。【０１５６】
平均ロード電力をデューティー制御する平均ロード電力制御部３Ｃ、反射波電力から平均反射波電力を求める平均処理部７c2を除く構成部分は、図９で示したパルス変調高周波電源装置１Ｂの構成と同様であるため、ここでは主に平均ロード電力のデューティー制御動作について説明する。【０１５７】
方向性結合器４d1はピーク進行波電力とピーク反射波電力とを分離し、ピーク進行波電力を進行波電力検出部４d2に入力し、ピーク反射波電力を反射波電力検出部４d3に入力する。【０１５８】
進行波電力検出部４d2は検出したピーク進行波電力値をピーク進行波電力制御部２Ｃに送ると共に、検出したピーク進行波電力値を平均処理部７c1に送る。平均処理部７c1は求めた平均進行波電力を平均ロード電力制御部３Ｃに送る。また、反射波電力検出部４d3は検出したピーク反射波電力値を平均処理部７c2に送り、平均処理部７c2は求めた平均反射波電力を平均ロード電力制御部３Ｃに送る。【０１５９】
平均ロード電力制御部３Ｃは、平均進行波電力値から平均反射波電力値を減算して平均ロード電力値を求める平均ロード電力検出部（図示していない）を備え、求めた平均ロード電力値をフィードバック値として平均ロード電力指令値と比較し、平均ロード電力値が平均ロード電力指令値となるようにデューティー制御を行う。【０１６０】
なお、平均ロード電力検出部は、平均ロード電力制御部３Ｃに設ける構成に限らず、平均処理部７c1，７c2等の回路内の構成する他、単独回路として構成してもよい。【０１６１】
また、平均ロード電力制御部３Ｃは、反射波電力検出部４d3から送られたピーク反射波電力値を用いて、デューティー制御を調整する。このデューティー制御の調整は、例えば、ピーク反射波電力が増加した場合に、平均ロード電力を抑制し、この平均ロード電力を抑制することによってピーク進行波電力を抑制して電源を保護するために行う。このデューティー制御の調整において、ピーク進行波電力ＰＦは一定に制御されているため、整合回路の整合動作は安定となり、チャンバーへの電力注入は安定する。【０１６２】
図１４，１５，１６は、デューティー制御において、ピーク反射波電力の増加時におけるロード電力の制御動作例を説明するためのフローチャートおよび信号図である。【０１６３】
ロード電力の制御は、平均ロード電力が平均ロード電力指令値となるようにデューティー制御を行う。【０１６４】
平均処理部７c1によって平均進行波電力ＰＦＡＶを求め（S21）、平均処理部７c2によって平均反射波電力ＰＲＡＶを求める（S22）。平均ロード電力検出部は、求めた平均進行波電力ＰＦＡＶと平均反射波電力ＰＲＡＶとの差分を以下の式により算出して平均ロード電力ＰＬＡＶを求める(S23)。
ＰＬＡＶ＝ＰＦＡＶ−ＰＲＡＶ【０１６５】
平均ロード電力制御部３Ｃは、求めた平均ロード電力ＰＬＡＶと平均ロード電力指令値ＰＬＡＶＯとの差分を求め（S24）、この差分値に基づいてデューティー値を変更し、差分が零となるように制御する(S26)。【０１６６】
平均ロード電力ＰＬＡＶと平均ロード電力指令値ＰＬＡＶＯとの差分が零となるようにデューティー制御を行うことによって、ピーク進行波電力の振幅値を変えることなく、平均ロード電力ＰＬＡＶを設定値に制御することができる（S25）。【０１６７】
上記デューティー制御の動作中において、反射波電力検出部４d3で検出した反射波電力を検出し、反射波電力の増加をモニタする。このとき、反射波電力が増加した場合には(S27)、平均ロード電力制御部３Ｃのデューティー制御で求めたデューティー比（オンデューティーＤon）を上げて（S28）、平均進行波電力ＰＦＡＶを上げることによって（S29）、平均ロード電力ＰＬＡＶを抑制して一定に保持し（S30）、ピーク進行波電力ＰＦの出力を安定させる。【０１６８】
ピーク反射波電力が減少した場合には(S31)、上げたデューティー比を元に戻し（S32）、通常のデューティー制御を行う。【０１６９】
図１５に示す信号図は、デューティー制御を行っている状態からピーク反射波電力が増加する場合に平均ロード電力を抑制する状態を示している。【０１７０】
図１５（ａ）はピーク反射波電力ＰＲおよび平均反射波電力ＰＲＡＶを示し、図１５（ｂ）はデューティー比（ＯＮデューティーＤon）を示し、図１５（ｃ）はピーク進行波電力ＰＦおよび平均進行波電力ＰＦＡＶを示し、図１５（ｄ）はピークロード電力ＰＬおよび平均ロード電力ＰＬＡＶを示している。【０１７１】
デューティー制御中にピーク反射波電力ＰＲ（図１５（ａ）中の実線で示す）が増加すると平均反射波電力ＰＲＡＶも増加し（図１５（ａ）中の時点Ｇ−Ｈ間）、ピークロード電力ＰＬおよび平均ロード電力ＰＬＡＶが減少する（図１５（ｄ）中の時点Ｇ−Ｈ間）。【０１７２】
平均ロード電力制御部３Ｃは、ピーク反射波電力ＰＲの増加を検出するとＯＮデューティーＤonを上げる（図１５（ｂ）中の時点Ｈ）。ＯＮデューティーＤonを上げることにより、平均進行波電力ＰＦＡＶが増加し（図１５（ｃ）中の時点Ｈ）、平均ロード電力ＰＬＡＶが増加して元に戻ることができる（図１５（ｄ）中の時点Ｈ）。【０１７３】
その後、ピーク反射波電力ＰＲの増加が解消されて元に戻ると、平均反射波電力ＰＲＡＶも低下して元に戻る(図１５（ａ）中の時点Ｉ）。【０１７４】
平均ロード電力制御部３Ｃは、ピーク反射波電力ＰＲの復帰を検出するとＯＮデューティーＤonを下げて元に戻す（図１５（ｂ）中の時点Ｉ）。ＯＮデューティーＤonを下げることにより、平均進行波電力ＰＦＡＶが減少して元に戻る（図１５（ｃ）中の時点Ｉ）。平均進行波電力ＰＦＡＶが元に戻ることによって、通常のデューティー制御において、ピークロード電力ＰＬおよび平均ロード電力ＰＬＡＶを元の状態に維持することができる（図１５（ｄ）中の時点Ｉ）。【０１７５】
図１６は、従来のパルスピークロード制御の動作例を示している。このパルスピークロード制御では、ピーク反射波電力が変動すると、ピーク進行波電力を制御することでピークロード電力を制御している。【０１７６】
例えば、ピーク反射波電力ＰＲが増加すると（図１６（ａ）中の時点Ｊ）、ピーク進行波電力ＰＦを増加させる制御を行い（図１６（ｂ）中の時点Ｊ）、ピーク進行波電力ＰＦを増加させることによって、ピークロード電力ＰＬが一定となるように制御する（図１６（ｃ）中の時点Ｊ）。【０１７７】
また、ピーク反射波電力ＰＲの増加が解消されると（図１６（ａ）中の時点Ｋ）、ピーク進行波電力ＰＦを低減させて元に戻す制御を行う（図１６（ｂ）中の時点Ｋ）。【０１７８】
このパルスピークロード制御では、ピーク進行波電力が変動するため、ピーク進行波電力の負荷への供給が変動し、負荷でのプラズマ密度が変動して不安定となるおそれがある。【０１７９】
これに対して、本発明のデューティー制御によれば、ピーク進行波電力を一定の維持したまま平均ロード電力を制御することができ、ピーク進行波電力が変動することによる不安定動作を回避することができる。【０１８０】
[第４の態様：連続進行波電力制御モードにデューティー制御を適用する場合の構成および制御] 
次に、本発明の第４の態様として、連続進行波電力制御モードにデューティー制御を適用する場合の構成および制御動作について図１７〜図２０を用いて説明する。【０１８１】
本発明のデューティー制御工程は、不連続出力とするパルス出力制御と、パルス出力を連続出力とする連続出力制御とを含むことができる。【０１８２】
パルス出力制御は、パルス出力の一周期内におけるオン時間とオフ時間とで定まるデューティー比においてオン時間を１００％未満とし、ピーク進行波電力の平均電力値がそのピーク進行波電力よりも小さくなるように制御して、パルス出力を不連続出力とする制御である。【０１８３】
また、連続出力制御は、パルス出力の一周期内におけるオン時間とオフ時間とで定まるデューティー比においてオフ時間を０％としオン時間を１００％とし、ピーク進行波電力の平均電力値がピーク進行波電力と等しくなるように制御して、パルス出力を連続出力とする制御である。【０１８４】
連続進行波電力制御モードは、進行波電力を連続出力制御するモードである。この連続進行波電力制御モードにおいて、プロセスの過程中など負荷に対して定常状態で進行波電力を供給する際に、例えばチャンバー内でのガス圧の変化やイオン反応などの要因によってチャンバー内のインピーダンスが変化する場合など、負荷のインピーダンスが変化した場合には反射波電力が一時的に増加することがある。【０１８５】
本発明は、このような連続進行波電力制御モードにおいてデューティー制御を適用することによって、ピーク反射波電力が増加した場合であっても、従来の制御のようにピーク進行波電力を変えることなく平均反射波電力を抑制して、安定して電力を負荷に供給する。【０１８６】
図１７は、連続進行波電力制御モードにデューティー制御を適用する場合の構成例を示す図である。【０１８７】
図１７において、パルス変調高周波電源装置１Ｄの構成は、図９で示した構成とほぼ同様であり、ピーク進行波電力の振幅を制御するピーク進行波電力制御部２Ｄと、パルス出力のデューティー比を制御する平均進行波電力制御部３Ｄと、パルス出力の高周波出力を出力する高周波出力部４Ｄと、平均処理部７Ｄとを備え、さらに、平均進行波電力制御部３Ｄが行うデューティー制御のデューティー比を制御するデューティー制御部８Ｄを備える。【０１８８】
また、高周波出力部４Ｄは、高周波出力回路４d0と、ピーク進行波電力を検出する進行波電力検出部４d2と、ピーク反射波電力を検出する反射波電力検出部４d3と、ピーク進行波電力とピーク反射波電力とを分離して取り出す方向性結合器４d1を備える。【０１８９】
平均処理部７Ｄは、進行波電力検出部４d2で検出したピーク進行波電力から平均進行波電力を求め、求めた平均進行波電力を平均進行波電力制御部３Ｄにフィードバックする。【０１９０】
平均進行波電力をデューティー制御する平均進行波電力制御部３Ｄ、デューティー制御部８Ｄを除く構成部分は、図９で示したパルス変調高周波電源装置１Ｂの構成とほぼ同様であるため、ここでは主に平均進行波電力制御部３Ｄの連続出力制御およびデューティー制御について説明する。【０１９１】
方向性結合器４d1はピーク進行波電力とピーク反射波電力とを分離し、ピーク進行波電力を進行波電力検出部４d2に入力し、ピーク反射波電力を反射波電力検出部４d3に入力する。【０１９２】
進行波電力検出部４d2は検出したピーク進行波電力値をピーク進行波電力制御部２Ｄに送ると共に、検出したピーク進行波電力値を平均処理部７Ｄに送る。平均処理部７Ｄは求めた平均進行波電力を平均進行波電力制御部３Ｄに送る。また、反射波電力検出部４d3は検出したピーク反射波電力値をデューティー制御部８Ｄに送り、デューティー制御部８Ｄは、反射波電力の変動に応じて平均進行波電力制御部３Ｄで行うデューティー制御のデューティー比を変更する。【０１９３】
平均進行波電力制御部３Ｄは、平均処理部７Ｄからの平均進行波電力値をフィードバック値として平均進行波電力指令値と比較し、平均進行波電力値が平均進行波電力指令値となるようにデューティー制御を行う。【０１９４】
平均進行波電力制御部３Ｄは、通常状態では、デューティー比（ＯＮデューティーＤon）を１００％として連続出力制御を行い、デューティー制御部８Ｄから送られた制御信号によってデューティー制御を調整して、連続出力制御とパルス出力制御とを切り換える。ここで、連続出力制御は、デューティー制御においてデューティー比（ＯＮデューティーＤon）を１００％とする制御形態であり、パルス出力制御は、デューティー制御においてデューティー比（ＯＮデューティーＤon）を１００％より小さな値で行う制御形態である。【０１９５】
このデューティー制御の調整は、例えば、ピーク反射波電力が増加した場合に、デューティー比（ＯＮデューティーＤon）を１００％から１００％よりも小さな所定値に切り換えることによって連続出力制御からパルス出力制御に切り換えることによって、平均反射波電力を抑制して電源を保護する。このデューティー制御の調整において、ピーク進行波電力ＰＦは一定に制御されているため、整合回路の整合動作は安定となり、チャンバーへの電力注入は安定する。【０１９６】
図１８，１９，２０は、連続進行波電力制御モードにおいて、ピーク反射波電力の増加時における進行波電力の制御動作例を説明するためのフローチャートおよび信号図である。【０１９７】
平均進行波電力制御部３Ｄは、通常状態では、連続出力制御によって平均進行波電力が平均進行波電力指令値となるように制御する。【０１９８】
この制御状態では、デューティー比（ＯＮデューティーＤon）を１００％とし（S41）、ピーク進行波電力を連続進行波電力制御モードで制御する（S42）。【０１９９】
この連続進行波電力制御モードにおいて、デューティー制御部８Ｄは反射波電力検出部４d3で検出したピーク反射波電力をモニタする。デューティー制御部８Ｄは、ピーク反射波電力の増加を検出すると（S43）、デューティー比（ＯＮデューティーＤon）を１００％の連続出力からデューティー比（ＯＮデューティーＤon）が１００％よりも小さいパルス出力に切り換える。これによって、ピーク進行波電力ＰＦの出力を安定させた状態で、平均反射波電力を抑制することができる(S44)。【０２００】
デューティー制御部８Ｄは、ピーク反射波電力の減少を検出すると（S45）、デューティー比（ＯＮデューティーＤon）を１００％に戻してパルス出力から連続出力に切り換えて、連続出力による連続進行波電力制御モードに戻す(S46)。【０２０１】
図１９に示す信号図は、連続出力とパルス出力との切換を示している。【０２０２】
図１９（ａ）はピーク反射波電力ＰＲおよび平均反射波電力ＰＲＡＶを示し、図１９（ｂ）はデューティー比（ＯＮデューティーＤon）を示し、図１９（ｃ）はピーク進行波電力ＰＦおよび平均進行波電力ＰＦＡＶを示している。【０２０３】
連続進行波電力制御モードにおいて、デューティー比（ＯＮデューティーＤon）を１００％として連続出力を行っている間に、ピーク反射波電力ＰＲ（図１９（ａ）中の実線で示す）が増加すると平均反射波電力ＰＲＡＶ（図１９（ａ）中の破線で示す）も増加する（図１９（ａ）中の時点Ｌ−Ｍ間）。【０２０４】
デューティー制御部８Ｄは、ピーク反射波電力ＰＲの増加を検出するとＯＮデューティーＤonを１００％から下げる（図１９（ｂ）中の時点Ｌ）。ＯＮデューティーＤonを下げることにより、平均進行波電力ＰＦＡＶが減少する（図１９（ｃ）中の時点Ｌ）。【０２０５】
その後、ピーク反射波電力ＰＲの増加が解消されて元に戻ると、デューティー制御部８Ｄは、ピーク反射波電力ＰＲの減少を検出してＯＮデューティーＤonを１００％に戻す（図１９（ｂ）中の時点Ｍ）。ＯＮデューティーＤonを１００％として連続制御を再開することにより、平均進行波電力ＰＦＡＶは元に状態に戻す（図１９（ｃ）中の時点Ｍ）。【０２０６】
本発明の制御態様によれば、通常状態ではＯＮデューティーＤonを１００％として連続出力制御を行い、ピーク反射波電力が増加したときにＯＮデューティーＤonを１００％よりも小さくてパルス出力制御を行うことによって、平均進行波電力を低下させて平均反射波電力を抑制する。【０２０７】
図２０は、従来の連続出力制御の動作例を示している。この連続出力制御では、ピーク反射波電力が変動すると、ピーク進行波電力を制御することで平均進行波電力を制御している。【０２０８】
例えば、ピーク反射波電力ＰＲが増加すると（図２０（ｂ）中の時点Ｏ）、ピーク進行波電力ＰＦを減少させる制御を行い（図２０（ａ）中の時点Ｏ）、ピーク進行波電力ＰＦを減少させることによって、平均進行波電力を抑制する。【０２０９】
また、ピーク反射波電力ＰＲの増加が解消されると（図２０（ｂ）中の時点Ｐ）、ピーク進行波電力ＰＦを増加させて元に戻す制御を行う（図２０（ａ）中の時点Ｐ）。【０２１０】
この連続出力制御では、ピーク進行波電力が変動するため、ピーク進行波電力の負荷への供給が変動し、負荷でのプラズマ密度が変動して不安定となるおそれがある。【０２１１】
これに対して、本発明の制御によれば、ピーク進行波電力を一定の維持したまま平均進行波電力を制御することができ、ピーク進行波電力が変動することによる不安定動作を回避することができる。【０２１２】
[第５の態様：連続進行波電力制御モードにデューティー制御を適用してピーク進行波電力を増加させる場合の構成および制御]（図２１〜図２４）
次に、本発明の第５の態様として、連続進行波電力制御モードにデューティー制御を適用してピーク進行波電力を増加させる場合の構成および制御動作について図２１〜図２４を用いて説明する。【０２１３】
負荷側のチャンバーでプラズマを生成する際、プラズマ生成のプロセスを開始するときに、プラズマが着火する前に反射波電力が増加する傾向がある。従来の制御方法では、この反射波電力の増加に対して進行波電力を垂下させることによって、高周波出力電源側への影響を低減している。しかしながら、このように進行波電力を垂下させる制御では、チャンバー内の電圧状態がプラズマ着火電圧よりも低下すると、プラズマが着火しなくなるという問題がある。【０２１４】
本態様は、前記した態様と同様に、連続進行波電力制御モードにおいてデューティー制御を適用することによって、ピーク反射波電力が増加した場合であっても、従来の制御のようにピーク進行波電力を変えることなく平均反射波電力を抑制して、安定して電力を負荷に供給する。【０２１５】
この態様と前記態様との相違は、前記態様が一定のピーク進行波電力を供給する通常状態での電力供給に係わるものであるのに対して、本態様はプロセス開始時等のピーク進行波電力を漸次増加させる電力供給に係わるものである。【０２１６】
図２１は、連続進行波電力制御モードにデューティー制御を適用してピーク進行波電力を増加させる場合の構成例を示す図であり、図１７に示した前記態様の構成例と同様とすることができる。【０２１７】
図２１において、パルス変調高周波電源装置１Ｅの構成は、ピーク進行波電力の振幅を制御するピーク進行波電力制御部２Ｅと、パルス出力のデューティー比を制御する平均進行波電力制御部３Ｅと、パルス出力の高周波出力を出力する高周波出力部４Ｅと、平均処理部７Ｅとを備え、さらに、平均進行波電力制御部３Ｅが行うデューティー制御のデューティー比を制御するデューティー制御部８Ｅを備える。【０２１８】
また、高周波出力部４Ｅは、高周波出力回路４d0と、ピーク進行波電力を検出する進行波電力検出部４d2と、ピーク反射波電力を検出する反射波電力検出部４d3と、ピーク進行波電力とピーク反射波電力とを分離して取り出す方向性結合器４d1を備える。【０２１９】
平均処理部７Ｅは、進行波電力検出部４d2で検出したピーク進行波電力から平均進行波電力を求め、求めた平均進行波電力を平均進行波電力制御部３Ｅにフィードバックする。【０２２０】
方向性結合器４d1はピーク進行波電力とピーク反射波電力とを分離し、ピーク進行波電力を進行波電力検出部４d2に入力し、ピーク反射波電力を反射波電力検出部４d3に入力する。【０２２１】
進行波電力検出部４d2は、検出したピーク進行波電力値をピーク進行波電力制御部２Ｅに送ると共に、検出したピーク進行波電力値を平均処理部７Ｅに送る。平均処理部７Ｅは求めた平均進行波電力を平均進行波電力制御部３Ｅに送る。また、反射波電力検出部４d3は検出したピーク反射波電力値をデューティー制御部８Ｅに送り、デューティー制御部８Ｅは、プロセススタート時において、反射波電力の変動に応じて平均進行波電力制御部３Ｅで行うデューティー制御のデューティー比を変更する。【０２２２】
平均進行波電力制御部３Ｅは、平均処理部７Ｅからの平均進行波電力値をフィードバック値として平均進行波電力指令値と比較し、平均進行波電力値が平均進行波電力指令値となるようにデューティー制御を行う。【０２２３】
平均進行波電力制御部３Ｅは、プロセススタート時および通常状態において、デューティー比（ＯＮデューティーＤon）を１００％として連続出力制御を開始し、デューティー制御部８Ｅから送られた制御信号によってデューティー制御を調整して、連続出力制御とパルス出力制御とを切り換える。ここで、連続出力制御は、デューティー制御においてデューティー比（ＯＮデューティーＤon）を１００％とする制御形態であり、パルス出力制御は、デューティー制御においてデューティー比（ＯＮデューティーＤon）を１００％より小さな値で行う制御形態である。【０２２４】
このデューティー制御の調整は、例えば、ピーク反射波電力が増加した場合に、デューティー比（ＯＮデューティーＤon）を１００％から１００％よりも小さな所定値に切り換えることによって連続出力制御からパルス出力制御に切り換えることによって、平均反射波電力を抑制して電源を保護する。このデューティー制御の調整において、ピーク進行波電力ＰＦは一定に制御されているため、整合回路の整合動作は安定となり、チャンバーへの電力注入は安定する。【０２２５】
図２２，２３，２４は、連続進行波電力制御モードにおいて、プロセススタート時にピーク反射波電力の増加による進行波電力の制御動作例を説明するためのフローチャートおよび信号図である。【０２２６】
平均進行波電力制御部３Ｅは、プロセス開始時および通常状態において、連続出力制御によって平均進行波電力が平均進行波電力指令値となるように制御する。また、ピーク進行波電力制御部２Ｅにおいて、プロセス開始時では零から定常電力値まで所定の増加率で増加させ、通常状態では定常電力値となるピーク進行波電力指令に基づいてプロセスを開始させる(S51)。【０２２７】
このプロセス開始時において、平均進行波電力制御部３Ｅは、デューティー比（ＯＮデューティーＤon）を１００％とし、連続進行波電力制御モードで制御する（S52）。【０２２８】
この連続進行波電力制御モードにおいて、デューティー制御部８Ｅは反射波電力検出部４d3で検出したピーク反射波電力をモニタする。デューティー制御部８Ｅは、ピーク反射波電力の増加を検出すると（S53）、デューティー比（ＯＮデューティーＤon）を１００％の連続出力からデューティー比（ＯＮデューティーＤon）が１００％よりも小さいパルス出力に切り換える。これによって、ピーク進行波電力ＰＦの出力を安定させた状態で、平均反射波電力を抑制することができる(S54)。【０２２９】
デューティー制御部８Ｄは、着火または許容ピーク反射波電力を検出すると（S55）、デューティー比（ＯＮデューティーＤon）を１００％に戻してパルス出力から連続出力に切り換えて、連続出力による連続進行波電力制御モードに戻す(S56)。着火の検出は、例えば、反射波電力の変動を検出することで行うことができる。【０２３０】
図２３に示す信号図は、プロセススタート時における連続出力とパルス出力との切換を示している。【０２３１】
図２３（ａ）はピーク反射波電力ＰＲおよび平均反射波電力ＰＲＡＶを示し、図２３（ｂ）はデューティー比（ＯＮデューティーＤon）を示し、図２３（ｃ）はピーク進行波電力ＰＦおよび平均進行波電力ＰＦＡＶを示している。【０２３２】
連続進行波電力制御モードにおいて、デューティー比（ＯＮデューティーＤon）を１００％として連続出力を行い、プロセススタート時にピーク進行波電力を零から所定の設定ピーク進行波電力値に向かって増加させる（図２３（ｃ）のＱ）。このプロセススタート時に、ピーク反射波電力ＰＲ（図２３（ａ）中の実線で示す）が増加すると平均反射波電力ＰＲＡＶ（図２３（ａ）中の破線で示す）も増加する（図２３（ａ）中の時点Ｒ）。【０２３３】
デューティー制御部８Ｅは、ピーク反射波電力ＰＲの増加を検出するとＯＮデューティーＤonを１００％から下げる（図２３（ｂ）中の時点Ｒ）。ＯＮデューティーＤonを下げることにより、平均進行波電力ＰＦＡＶの増加を抑制し（図２３（ｃ）中の期間Ｒ−Ｓ）、平均反射波電力ＰＲＡＶの増加を抑制する（図２３（ａ）中の期間Ｒ−Ｓ）。【０２３４】
その後、ピーク反射波電力ＰＲの増加が解消されて元に戻ると、デューティー制御部８Ｅは、ピーク反射波電力ＰＲの減少を検出してＯＮデューティーＤonを１００％に戻す（図２３（ｂ）中の時点Ｓ）。ＯＮデューティーＤonを１００％として連続制御を再開することにより、平均進行波電力ＰＦＡＶは通常状態となる（図２３（ｃ）中の時点Ｓ）。【０２３５】
本発明の制御態様によれば、プロセススタート時においてデューティーＤonを１００％として連続出力制御を行い、ピーク反射波電力が増加したときにＯＮデューティーＤonを１００％よりも小さくしてパルス出力制御を行うことによって、平均進行波電力を低下させて平均反射波電力を抑制する。【０２３６】
図２４は、従来の連続出力制御の動作例を示している。この連続出力制御では、プロセススタート時にピーク反射波電力が変動すると、ピーク進行波電力を制御することで平均進行波電力を制御している。【０２３７】
例えば、ピーク反射波電力ＰＲが増加すると（図２４（ｂ）中の時点Ｔ）、ピーク進行波電力ＰＦを減少させる制御を行い（図２４（ａ）中の時点Ｔ）、ピーク進行波電力ＰＦを減少させることによって、平均進行波電力を抑制する。【０２３８】
この連続出力制御では、ピーク進行波電力が変動するため、ピーク進行波電力の負荷への供給が変動し、負荷でのプラズマ密度が変動して不安定となるおそれがある。【０２３９】
これに対して、本発明の制御によれば、ピーク進行波電力を一定の維持したまま平均進行波電力を制御することができ、ピーク進行波電力が変動することによる不安定動作を回避することができる。【０２４０】
[第６の態様：のデューティー制御においてピーク進行波電力を増加させる場合の構成および制御] 
次に、本発明の第６の態様として、デューティー制御においてピーク進行波電力を増加させる場合の構成および制御動作について図２５、図２６を用いて説明する。【０２４１】
ここで示す態様は、前記した態様と同様にプロセススタート時の制御態様である。前記した態様は、連続進行波電力制御モードにおいてデューティー制御を適用し、ピーク反射波電力が増加したときにデューティー制御によって連続出力からパルス出力に切り換える制御態様であるのに対して、ここで示す態様は、進行波電力の制御において、ピーク進行波電力の振幅値を一定となるように制御すると共に、プロセススタートをパルス出力で開始してデューティー比（ＯＮデューティーＤon）を増加させ、定常状態ではデューティー比（ＯＮデューティーＤon）を１００％として連続出力に切り換える制御態様である。【０２４２】
この制御態様によれば、プロセススタート時にピーク反射波電力が増加した場合であっても、デューティー比（ＯＮデューティーＤon）が１００％よりも小さい状態にあるため、従来の制御のようにピーク進行波電力を変えることなく平均反射波電力を抑制して、安定して電力を負荷に供給する。【０２４３】
この形態の構成は、図２１に示す第５の構成例と同様とすることができるため、ここでの説明は省略する。【０２４４】
図２５，２６は、連続進行波電力制御モードにおいて、プロセススタート時にデューティー制御においてピーク進行波電力を増加させる進行波電力の制御動作例を説明するためのフローチャートおよび信号図である。【０２４５】
平均進行波電力制御部は、プロセススタート時においてデューティー制御によって平均進行波電力を増加させ、定常時においてデューティー制御によって所定の平均進行波電力となるように制御する。この制御は、平均進行波電力指令値とフィードバック値との比較に基づく制御で行うことができる。【０２４６】
また、ピーク進行波電力の振幅値は、ピーク進行波電力制御部によって所定の大きさのピーク進行波電力指令値に基づいて定振幅制御される。【０２４７】
プロセススタート時には(S61)、平均進行波電力制御部はデューティー比（ＯＮデューティーＤon）を零から順に１００％まで増加させることによって平均進行波電力を増加させる（S62,S63）。この工程の間にプラズマの着火が行われる。この態様では、平均進行波電力が定常時の電力量に達するまでは、デューティー制御を行うことによって負荷に供給される平均進行波電力は抑制されているため、反射波電力も抑制される。【０２４８】
図２６に示す信号図は、プロセススタート時におけるデューティー制御を示している。図２６（ａ）はデューティー比（ＯＮデューティーＤon）を示し、図２６（ｂ）はピーク進行波電力ＰＦおよび平均進行波電力ＰＦＡＶを示し、図２６（ｃ）はピーク反射波電力ＰＲおよび平均反射波電力ＰＲＡＶを示している。【０２４９】
プロセススタート時に、デューティー比（ＯＮデューティーＤon）を０％から順に１００％に増加させ（図２６（ａ））、平均進行波電力を零から所定の設定平均進行波電力値に向かって増加させる（図２６（ｃ））。【０２５０】
このプロセススタート時に、ピーク反射波電力ＰＲ（図２６（ｂ）中の実線で示す）が増加すると平均反射波電力ＰＲＡＶ（図２６（ｂ）中の破線で示す）も増加する。【０２５１】
プロセススタート時には、平均進行波電力ＰＦＡＶが抑制されているため、反射波が発生した場合であっても、その平均反射波電力ＰＲＡＶは抑制されているため、高周波出力電源に対する影響を抑制することができる。【０２５２】
なお、本発明は前記各実施の形態に限定されるものではない。本発明の趣旨に基づいて種々変形することが可能であり、これらを本発明の範囲から排除するものではない。
【産業上の利用可能性】
【０２５３】
本発明のパルス変調高周波電力制御方法およびパルス変調高周波電源装置は、プラズマエッチング、プラズマＣＶＤを行うプラズマ処理装置等の負荷に対する高周波電力の供給に適用することができる。
【図１】
2011016266.tif 000003
【図２】
2011016266.tif 000004
【図３】
2011016266.tif 000005
【図４】
2011016266.tif 000006
【図５】
2011016266.tif 000007
【図６】
2011016266.tif 000008
【図７】
2011016266.tif 000009
【図８】
2011016266.tif 000010
【図９】
2011016266.tif 000011
【図１０】
2011016266.tif 000012
【図１１】
2011016266.tif 000013
【図１２】
2011016266.tif 000014
【図１３】
2011016266.tif 000015
【図１４】
2011016266.tif 000016
【図１５】
2011016266.tif 000017
【図１６】
2011016266.tif 000018
【図１７】
2011016266.tif 000019
【図１８】
2011016266.tif 000020
【図１９】
2011016266.tif 000021
【図２０】
2011016266.tif 000022
【図２１】
2011016266.tif 000023
【図２２】
2011016266.tif 000024
【図２３】
2011016266.tif 000025
【図２４】
2011016266.tif 000026
【図２５】
2011016266.tif 000027
【図２６】
2011016266.tif 000028
【図２７】
2011016266.tif 000029
【手続補正書】
【提出日】平成22年8月25日(2010.8.25)
【手続補正１】
【補正対象書類名】特許請求の範囲
【補正対象項目名】請求項１
【補正方法】変更
【補正の内容】
【請求項１】
負荷インピーダンスがプラズマ状態によって変動する負荷に供給する高周波電力を制御する高周波電力の制御方法において、
前記高周波電力を時間的に断続出力させてパルス出力を高周波出力として出力し、
前記パルス出力の振幅を制御する出力振幅制御工程と、
前記パルス出力のデューティー比を制御するデューティー制御工程とを備え、
前記出力振幅制御工程は、前記パルス出力の振幅値を制御して、振幅値が設定振幅値となるように定振幅制御を行い、
前記デューティー制御工程は、前記パルス出力のデューティー比を制御して、当該デューティー比で定まる電力量が設定電力値となるように定電力制御を行い、
前記出力振幅制御工程と前記デューティー制御工程とをそれぞれ独立に行って高周波電力をパルス変調することを特徴とする、パルス変調高周波電力制御方法。
【手続補正２】
【補正対象書類名】特許請求の範囲
【補正対象項目名】請求項１７
【補正方法】変更
【補正の内容】
【請求項１７】
負荷インピーダンスがプラズマ状態によって変動する負荷に高周波電力を供給する高周波電源装置において、
パルス出力の高周波出力を出力する高周波出力部と、
前記パルス出力の振幅を制御する出力振幅制御部と、
前記パルス出力のデューティー比を制御するデューティー制御部とを備え、
前記出力振幅制御部は、前記パルス出力の振幅値を制御して、振幅値が設定振幅値となるように定振幅制御を行い、
前記デューティー制御部は、前記パルス出力のデューティー比を制御して、当該デューティー比で定まる電力量が設定電力値となるように定電力制御を行い、
前記出力振幅制御部と前記デューティー制御部は、高周波出力部をそれぞれ独立に制御して高周波電力をパルス変調することを特徴とする、パルス変調高周波電源装置。
【手続補正書】
【提出日】平成22年12月24日(2010.12.24)
【手続補正１】
【補正対象書類名】特許請求の範囲
【補正対象項目名】請求項１２
【補正方法】変更
【補正の内容】
【請求項１２】
前記デューティー制御によってピーク進行波電力を増加させる期間において、前記デューティー比のオン時間比率を漸次増加させることを特徴とする、請求項４に記載のパルス調整高調波電力制御方法。
【手続補正２】
【補正対象書類名】特許請求の範囲
【補正対象項目名】請求項２７
【補正方法】変更
【補正の内容】
【請求項２７】
前記デューティー制御は、
前記連続出力制御によってピーク進行波電力を増加させる期間において、
ピーク反射波電力の振幅値が過大であるとき、前記デューティー比のオン時間比率を１００パーセントから小さくして、連続出力制御からパルス出力制御に切り換え、
ピーク進行波電力が増加した後、前記デューティー比のオン時間比率を１００パーセントに戻して、パルス出力制御から連続出力制御に切り換えることにより、ピーク進行波電力を増加させる期間での平均反射波電力の増加を抑制することを特徴とする、請求項１９又は２１に記載のパルス変調高周波電源装置。
【手続補正３】
【補正対象書類名】特許請求の範囲
【補正対象項目名】請求項２８
【補正方法】変更
【補正の内容】
【請求項２８】
前記デューティー制御は、
ピーク進行波電力を増加させる期間において、
前記デューティー比のオン時間比率を漸次増加させることを特徴とする、請求項２０に記載のパルス調整高調波電源装置。
【手続補正書】
【提出日】平成23年5月26日(2011.5.26)
【手続補正１】
【補正対象書類名】特許請求の範囲
【補正対象項目名】請求項１
【補正方法】変更
【補正の内容】
【請求項１】
負荷インピーダンスがプラズマ状態によって変動する負荷に供給する高周波電力を制御する高周波電力の制御方法において、
前記高周波電力の制御は、直流入力電力を時間的に断続出力してなるパルス出力をパルス変調することによって行い、
前記パルス変調は、
前記パルス出力の振幅を制御する出力振幅制御工程と、
前記出力振幅制御工程で振幅制御したパルス出力のデューティー比を制御するデューティー制御工程とを備え、
前記出力振幅制御工程は、前記パルス出力の振幅値を制御して、振幅値が設定振幅値となるように定振幅制御を行い、
前記デューティー制御工程は、前記出力振幅制御工程で定振幅制御したパルス出力のデューティー比を制御して、当該デューティー比で定まる電力量が設定電力値となるように定電力制御を行い、
前記出力振幅制御工程と前記デューティー制御工程とをそれぞれ独立に行って高周波電力をパルス変調することを特徴とする、パルス変調高周波電力制御方法。
【手続補正２】
【補正対象書類名】特許請求の範囲
【補正対象項目名】請求項１７
【補正方法】変更
【補正の内容】
【請求項１７】
負荷インピーダンスがプラズマ状態によって変動する負荷に高周波電力を供給する高周波電源装置において、
直流入力電力を時間的に断続出力してなるパルス出力をパルス変調して前記高周波電力を出力する高周波出力部と、
前記高周波出力部のパルス変調を制御する制御部として、前記パルス出力の振幅を制御する出力振幅制御部と、前記出力振幅制御部で振幅制御したパルス出力のデューティー比を制御するデューティー制御部とを備え、
前記出力振幅制御部は、前記パルス出力の振幅値を制御して、振幅値が設定振幅値となるように定振幅制御を行い、
前記デューティー制御部は、前記出力振幅制御部で定振幅制御したパルス出力のデューティー比を制御して、当該デューティー比で定まる電力量が設定電力値となるように定電力制御を行い、
前記出力振幅制御部と前記デューティー制御部は、高周波出力部をそれぞれ独立に制御して高周波電力をパルス変調することを特徴とする、パルス変調高周波電源装置。
【手続補正書】
【提出日】平成23年11月22日(2011.11.22)
【手続補正１】
【補正対象書類名】特許請求の範囲
【補正対象項目名】全文
【補正方法】変更
【補正の内容】
【特許請求の範囲】
【請求項１】
負荷インピーダンスがプラズマ状態によって変動する負荷に供給する高周波電力を制御する高周波電力の制御方法において、
前記高周波電力の制御は、直流入力電力を時間的に断続出力してなるパルス出力をパルス変調することによって行い、
前記パルス変調は、
前記パルス出力の振幅を制御する出力振幅制御工程と、
前記出力振幅制御工程で振幅制御したパルス出力のデューティー比を制御するデューティー制御工程とを備え、
前記パルス出力の制御対象をピーク進行波電力とし、
前記出力振幅制御工程は、ピーク進行波電力の振幅値が設定振幅値となるように定振幅制御を行い、
前記デューティー制御工程は、前記出力振幅制御工程で定振幅制御したパルス出力のデューティー比を制御してデューティー比で定まるピーク進行波電力の平均電力値が設定電力値となるように定電力制御を行い、
前記出力振幅制御工程と前記デューティー制御工程とを負荷への供給電力変動に応じてそれぞれ独立に行って高周波電力をパルス変調することを特徴とする、パルス変調高周波電力制御方法。
【請求項２】
前記デューティー制御工程は、
パルス出力の一周期内におけるオン時間とオフ時間とで定まるデューティー比においてオン時間を１００％未満とし、前記ピーク進行波電力の平均電力値が当該ピーク進行波電力の振幅値よりも小さくなるように制御して、パルス出力を不連続出力とするパルス出力制御と、
パルス出力の一周期内におけるオン時間とオフ時間とで定まるデューティー比においてオフ時間を０％としオン時間を１００％とし、パルス出力を連続出力とする連続出力制御とを含むことを特徴とする、請求項１に記載のパルス変調高周波電力制御方法。
【請求項３】
前記デューティー制御工程は、
前記出力振幅制御工程の定電力制御で得られたフィードバック値に基づいて、パルス出力のデューティー比を増減することを特徴とする、請求項１又は２に記載のパルス変調高周波電力制御方法。
【請求項４】
前記パルス出力の制御対象をピーク進行波電力とするピーク進行波電力制御において
前記デューティー制御工程は、ピーク反射波電力値をフィードバックし、当該ピーク反射波電力の増加時に前記デューティー比のオン時間比率を小さくして平均反射波電力の増加を抑制することを特徴とする、請求項１に記載のパルス変調高周波電力制御方法。
【請求項５】
前記連続出力制御において、ピーク反射波電力の振幅値が過大であるとき、前記デューティー比のオン時間の比率を１００パーセントから小さくして、連続出力制御からパルス出力制御に切り換えることにより、平均反射波電力の増加を抑制することを特徴とする、請求項２に記載のパルス変調高周波電力制御方法。
【請求項６】
前記連続出力制御によってピーク進行波電力を増加させる期間において、
ピーク反射波電力の振幅値が過大であるとき、前記デューティー比のオン時間比率を１００パーセントから小さくして、連続出力制御からパルス出力制御に切り換え、
ピーク進行波電力が増加した後、前記デューティー比のオン時間比率を１００パーセントに戻して、パルス出力制御から連続出力制御に切り換えることにより、ピーク進行波電力を増加させる期間での平均反射波電力の増加を抑制することを特徴とする、請求項２に記載のパルス変調高周波電力制御方法。
【請求項７】
前記デューティー制御によってピーク進行波電力を増加させる期間において、
前記デューティー比のオン時間比率を漸次増加させることによって、平均反射波電力の増加を抑制することを特徴とする、請求項１に記載のパルス変調高周波電力制御方法。
【請求項８】
負荷インピーダンスがプラズマ状態によって変動する負荷に供給する高周波電力を制御する高周波電力の制御方法において、
前記高周波電力の制御は、直流入力電力を時間的に断続出力してなるパルス出力をパルス変調することによって行い、
前記パルス変調は、
前記パルス出力の振幅を制御する出力振幅制御工程と、
前記パルス出力のデューティー比を制御するデューティー制御工程とを備え、
前記出力振幅制御工程におけるパルス出力の制御対象をピーク進行波電力とし、
前記デューティー制御工程におけるパルス出力の制御対象を平均ロード電力とし、
前記出力振幅制御工程は、前記パルス出力の振幅値を制御して、前記ピーク進行波電力の振幅値が一定となるように定振幅制御を行い、
前記デューティー制御工程は、前記パルス出力のデューティー比を制御してデューティー比で定まるピーク進行波電力とピーク反射波電力から求められるピークロード電力の平均電力値が設定電力値となるように定電力制御を行って平均ロード電力を制御し、
前記出力振幅制御工程と前記デューティー制御工程とを負荷への供給電力変動に応じてそれぞれ独立に行って高周波電力をパルス変調することを特徴とする、パルス変調高周波電力制御方法。
【請求項９】
前記パルス出力の制御対象をピーク進行波電力および平均ロード電力とするロード電力制御において、
前記デューティー制御工程は、
ピーク反射波電力値をフィードバックし、
当該ピーク反射波電力の増加時に、前記デューティー比のオン時間比率を大きくして平均ロード電力を一定に制御することを特徴とする、請求項８に記載のパルス変調高周波電力制御方法。
【請求項１０】
前記デューティー制御において、オフ期間はパルス出力の電力値を零とし、オン期間はパルス出力の電力値を設定電力値とすることを特徴とする、請求項１から９の何れか一つに記載のパルス変調高周波電力制御方法。
【請求項１１】
前記デューティー制御において、オフ期間はパルス出力の電力値を零と設定電力値との幅間で定める所定電力値とし、オン期間はパルス出力の電力値を設定電力値とすることを特徴とする、請求項１から９の何れか一つに記載のパルス変調高周波電力制御方法。
【請求項１２】
前記デューティー制御において、周波数を一定とし、オン期間の時間幅とオフ期間の時間幅の時間幅の比率を制御することを特徴とする、請求項１から９の何れか一つに記載のパルス変調高周波電力制御方法。
【請求項１３】
前記デューティー制御において、オン期間の時間幅を一定としオフ期間の時間幅を変化させる、又は、オフ期間の時間幅を一定としオン期間の時間幅を変化させることによってパルス出力の周波数を制御することを特徴とする、請求項１から９の何れか一つに記載のパルス変調高周波電力制御方法。
【請求項１４】
前記デューティー制御工程は、デューティー比の制御によってオフ時間を零とし、パルス出力を連続出力とする工程を含むことを特徴とする、請求項１から１３のいずれか一つに記載のパルス変調高周波電力制御方法。
【請求項１５】
負荷インピーダンスがプラズマ状態によって変動する負荷に高周波電力を供給する高周波電源装置において、
直流入力電力を時間的に断続出力してなるパルス出力をパルス変調して前記高周波出力を出力する高周波出力部と、
前記高周波電力部のパルス変調を制御する制御部として、前記パルス出力の振幅を制御する出力振幅制御部と、前記出力振幅制御部で振幅制御したパルス出力のデューティー比を制御するデューティー制御部とを備え、
前記パルス出力の制御対象をピーク進行波電力とし、
前記出力振幅制御部は、前記パルス出力の振幅値を制御して、ピーク進行波電力の振幅値が設定振幅値となるように定振幅制御を行い、
前記デューティー制御部は、前記出力振幅制御部で定振幅制御したパルス出力のデューティー比を制御して、デューティー比で定まるピーク進行波電力の平均電力値が設定電力値となるように定電力制御を行い、
前記出力振幅制御部と前記デューティー制御部は、負荷への供給電力変動に応じて高周波出力部をそれぞれ独立に制御して高周波電力をパルス変調することを特徴とする、パルス変調高周波電源装置。
【請求項１６】
前記デューティー制御部は、
パルス出力の一周期内におけるオン時間とオフ時間とで定まるデューティー比においてオン時間を１００％未満とし、前記ピーク進行波電力の平均電力値が当該ピーク進行波電力の振幅値よりも小さくなるように制御して、パルス出力を不連続出力とするパルス出力制御と、
パルス出力の一周期内におけるオン時間とオフ時間とで定まるデューティー比においてオフ時間を０％としオン時間を１００％とし、パルス出力を連続出力とする連続出力制御の制御を切換可能であることを特徴とする、請求項１５に記載のパルス変調高周波電源装置。
【請求項１７】
前記デューティー制御部は、
パルス出力のフィードバック値に基づいて、前記定電力制御で得られたデューティー比を増減することを特徴とする、請求項１５又は１６に記載のパルス変調高周波電源装置。
【請求項１８】
前記パルス出力の制御対象をピーク進行波電力とするピーク進行波電力制御において、
前記デューティー制御部は、反射波電力値をフィードバックし、当該反射波電力の増加時に前記デューティー比のオン時間比率を小さくして平均反射波電力の増加を抑制することを特徴とする、請求項１５に記載のパルス変調高周波電源装置。
【請求項１９】
前記デューティー制御部は、
前記連続出力制御において、反射波電力の振幅値が過大であるとき、前記デューティー比のオン時間の比率を１００パーセントから小さくして、連続出力制御からパルス出力制御に切り換えることにより、平均反射波電力の増加を抑制することを特徴とする、請求項１６に記載のパルス変調高周波電源装置。
【請求項２０】
前記デューティー制御部は、
前記連続出力制御によってピーク進行波電力を増加させる期間において、
反射波電力の振幅値が過大であるとき、前記デューティー比のオン時間比率を１００パーセントから小さくして、連続出力制御からパルス出力制御に切り換え、
ピーク進行波電力が増加した後、前記デューティー比のオン時間比率を１００パーセントに戻して、パルス出力制御から連続出力制御に切り換えることにより、ピーク進行波電力を増加させる期間での平均反射波電力の増加を抑制することを特徴とする、請求項１６に記載のパルス変調高周波電源装置。
【請求項２１】
前記デューティー制御部は、
ピーク進行波電力を増加させる期間において、
前記デューティー比のオン時間比率を漸次増加させることによって、平均反射波電力の増加を抑制することを特徴とする、請求項１５に記載のパルス変調高周波電源装置。
【請求項２２】
負荷インピーダンスがプラズマ状態によって変動する負荷に高周波電力を供給する高周波電源装置において、
直流入力電力を時間的に断続出力してなるパルス出力をパルス変調して前記高周波出力を出力する高周波出力部と、
前記高周波電力部のパルス変調を制御する制御部として、前記パルス出力の振幅を制御する出力振幅制御部と、前記出力振幅制御部で振幅制御したパルス出力のデューティー比を制御するデューティー制御部とを備え、
前記出力振幅制御部におけるパルス出力の制御対象をピーク進行波電力とし、
前記デューティー制御部におけるパルス出力の制御対象を平均ロード電力とし、
前記出力振幅制御部は、前記パルス出力の振幅値を制御して、前記ピーク進行波電力の振幅値が一定となるように定振幅制御を行い、
前記デューティー制御部は、前記出力振幅制御部で定振幅制御したパルス出力のデューティー比を制御して、デューティー比で定まるピーク進行波電力とピーク反射波電力から求められる平均ロード電力が設定電力値となるように定電力制御を行って平均ロード電力を制御し、
前記出力振幅制御部と前記デューティー制御部は、負荷への供給電力変動に応じて高周波出力部をそれぞれ独立に制御して高周波電力をパルス変調することを特徴とする、パルス変調高周波電源装置。
【請求項２３】
前記パルス出力の制御対象をピーク進行波電力および平均ロード電力とするロード電力制御において、
前記デューティー制御部は、
ピーク反射波電力値をフィードバックし、
当該ピーク反射波電力の増加時に、前記デューティー比のオン時間比率を大きくして平均ロード電力を一定に制御することを特徴とする、請求項２２に記載のパルス変調高周波電源装置。
【請求項２４】
前記デューティー制御部は、
オフ期間はパルス出力の電力値を零とし、オン期間はパルス出力の電力値を設定電力値とすることを特徴とする、請求項１５から２３の何れか一つに記載のパルス変調高周波電源装置。
【請求項２５】
前記デューティー制御部は、
オフ期間はパルス出力の電力値を零と設定電力値との幅間で定める所定電力値とし、オン期間はパルス出力の電力値を設定電力値とすることを特徴とする、請求項１５から２３の何れか一つに記載のパルス変調高周波電源装置。
【請求項２６】
前記デューティー制御部は、
周波数を一定とし、オン期間の時間幅とオフ期間の時間幅の時間幅の比率を制御することを特徴とする、請求項１５から２３の何れか一つに記載のパルス変調高周波電源装置。
【請求項２７】
前記デューティー制御部は、
オン期間の時間幅を一定としオフ期間の時間幅を変化させる、又は、オフ期間の時間幅を一定としオン期間の時間幅を変化させることによってパルス出力の周波数を制御することを特徴とする、請求項１５から２３の何れか一つに記載のパルス変調高周波電源装置
【請求項２８】
前記デューティー制御部は、デューティー比の制御によってオフ時間を零とし、パルス出力を連続出力とすることを特徴とする、請求項１５から２３の何れか一つに記載のパルス変調高周波電源装置。
【国際調査報告】
2011016266.tif 000030
2011016266.tif 000031
2011016266.tif 000032
2011016266.tif 000033